(57)【要約】【課題】アルバム画像の印刷出力に関する利便性を向上させることが可能なデジタルカメラを提供する。【解決手段】このデジタルカメラは、撮影画像ファイルについてのアルバム登録指示を受け付けることが可能であり、且つ、登録されたアルバム画像に対するプリント指定を行うことが可能である。また、撮影画像およびアルバム画像のそれぞれについてのインデックスプリントの有無をも指定可能である。さらに、インデックスプリントの方式について指定することもできる。【選択図】        図２７
2004254100.tif 000002
【特許請求の範囲】
【請求項１】
デジタルカメラであって、
撮影画像のデータファイルである撮影画像ファイルを撮影により取得する手段と、
前記撮影画像ファイルについてのアルバム登録指示を受け付ける手段と、
前記アルバム登録指示がなされた撮影画像ファイルについて、アルバム画像のデータファイルであるアルバム画像ファイルを当該撮影画像ファイルに基づいて作成し、当該アルバム画像ファイルを前記撮影画像ファイルとは互いに異なるフォルダに格納する制御手段と、
前記アルバム画像に対するプリント指定を行うことが可能な指定手段と、
を備えることを特徴とするデジタルカメラ。
【請求項２】
請求項１に記載のデジタルカメラにおいて、
前記指定手段は、前記アルバム画像のインデックスプリントについてのプリント指定を行うことが可能であることを特徴とするデジタルカメラ。
【請求項３】
請求項２に記載のデジタルカメラにおいて、
前記アルバム画像だけでなく前記撮影画像もインデックスプリントの対象とされることが可能であり、
前記指定手段は、前記アルバム画像と前記撮影画像との両方がインデックスプリントの対象とされる場合には、インデックスプリントの方式として、前記アルバム画像のインデックスプリントと前記撮影画像のインデックスプリントとを区別して印刷する方式を指定可能であることを特徴とするデジタルカメラ。
【請求項４】
請求項１に記載のデジタルカメラにおいて、
前記指定手段は、前記デジタルカメラに内蔵又は装着された記録手段内の前記アルバム画像の全てを一括してプリントする、一括プリント指定を行うことが可能であることを特徴とするデジタルカメラ。
【請求項５】
請求項１に記載のデジタルカメラにおいて、
前記指定手段は、前記撮影画像に対するプリント指定を行うことも可能であり、前記撮影画像と前記アルバム画像との両方がプリント指定される場合には、前記撮影画像のプリント群と前記アルバム画像のプリント群とが互いに区別して出力されるようにするための識別指示を含むプリント指定を行うことが可能であることを特徴とするデジタルカメラ。
【発明の詳細な説明】
【０００１】
【発明の属する技術分野】
本発明は、デジタルカメラに関する。
【０００２】
【従来の技術】
デジタルカメラにおいては、撮影画像はメモリカードなどの記録媒体に記録される。ただし、記録媒体に格納可能な撮影画像の枚数には上限があるため、通常は、適宜の枚数の撮影画像がその記録媒体に格納された後には、撮影画像のデータをメモリーカードからパーソナルコンピュータ（以下、パソコンとも称する）のハードディスクなどに移動させ、記録媒体の空き容量を確保することが行われる。
【０００３】
しかしながら、パソコンなどに移動された画像データはデジタルカメラに残存していないので、移動された画像は気に入ったものであったとしてもデジタルカメラでは閲覧できない。
【０００４】
このような問題を解決する技術として、お気に入りの画像をデジタルカメラの内蔵メモリに格納しておくもの（具体的には、カシオ計算機株式会社製のデジタルカメラＥＸ−Ｓ２／ＥＸ−Ｍ２）が存在する。このデジタルカメラにおいては、撮影画像のうちユーザが気に入った画像をコピーして登録用の画像（お気に入りの画像ないしアルバム画像とも称する）を作成し、撮影画像とは別に格納しておくことができる（下記の非特許文献１参照）。
【０００５】
これによれば、撮影画像をパソコンなどに移動させた後であってもお気に入りの画像はデジタルカメラの内蔵メモリ内に残存しているため、ユーザはお気に入りの画像をデジタルカメラを用いて閲覧することができる。
【０００６】
また、このデジタルカメラは、ＤＰＯＦ（Ｄｉｇｉｔａｌ  Ｐｒｉｎｔ  Ｏｒｄｅｒ  Ｆｏｒｍａｔ）に対応している。操作者は、デジタルカメラにおいて、撮影画像に対するプリント指定操作を実行しておけば、そのプリント指定に関する情報が入ったメモリカードをＤＰＯＦ対応のプリント店（プリントラボ）に渡すことなどによって、指定通りのプリント出力を得ることができる。
【０００７】
【非特許文献１】
「デジタルカメラＥＸ−Ｓ２／ＥＸ−Ｍ２取扱説明書」，カシオ計算機株式会社，平成１４年９月
【０００８】
【発明が解決しようとする課題】
しかしながら、上記の従来技術においては、プリント指定することが可能な画像は、撮影画像に限定されている。
【０００９】
そのため、アルバム画像については、ＤＰＯＦ対応のプリント店にメモリカードを持参するだけでは印刷対象の画像を指定することはできず、印刷対象の画像を別途の手法で指定する必要がある。すなわち、アルバム画像を気軽にプリント出力することができないという問題がある。
【００１０】
そこで、本発明は前記問題点に鑑み、アルバム画像の印刷出力に関する利便性を向上させることが可能なデジタルカメラを提供することを目的とする。
【００１１】
【課題を解決するための手段】
上記目的を達成するため、請求項１の発明は、デジタルカメラであって、撮影画像のデータファイルである撮影画像ファイルを撮影により取得する手段と、前記撮影画像ファイルについてのアルバム登録指示を受け付ける手段と、前記アルバム登録指示がなされた撮影画像ファイルについて、アルバム画像のデータファイルであるアルバム画像ファイルを当該撮影画像ファイルに基づいて作成し、当該アルバム画像ファイルを前記撮影画像ファイルとは互いに異なるフォルダに格納する制御手段と、前記アルバム画像に対するプリント指定を行うことが可能な指定手段と、を備えることを特徴とする。
【００１２】
請求項２の発明は、請求項１の発明に係るデジタルカメラにおいて、前記指定手段は、前記アルバム画像のインデックスプリントについてのプリント指定を行うことが可能であることを特徴とする。
【００１３】
請求項３の発明は、請求項２の発明に係るデジタルカメラにおいて、前記アルバム画像だけでなく前記撮影画像もインデックスプリントの対象とされることが可能であり、前記指定手段は、前記アルバム画像と前記撮影画像との両方がインデックスプリントの対象とされる場合には、インデックスプリントの方式として、前記アルバム画像のインデックスプリントと前記撮影画像のインデックスプリントとを区別して印刷する方式を指定可能であることを特徴とする。
【００１４】
請求項４の発明は、請求項１の発明に係るデジタルカメラにおいて、前記指定手段は、前記デジタルカメラに内蔵又は装着された記録手段内の前記アルバム画像の全てを一括してプリントする、一括プリント指定を行うことが可能であることを特徴とする。
【００１５】
請求項５の発明は、請求項１の発明に係るデジタルカメラにおいて、前記指定手段は、前記撮影画像に対するプリント指定を行うことも可能であり、前記撮影画像と前記アルバム画像との両方がプリント指定される場合には、前記撮影画像のプリント群と前記アルバム画像のプリント群とが互いに区別して出力されるようにするための識別指示を含むプリント指定を行うことが可能であることを特徴とする。
【００１６】
【発明の実施の形態】
以下、本発明の実施形態を図面に基づいて説明する。
【００１７】
＜構成概要＞
図１および図２は、本発明の実施形態に係るデジタルカメラ１の外観構成を示す図である。図１は正面側からみた概略斜視図であり、図２は背面側からみた概略斜視図である。
【００１８】
図１および図２に示すように、デジタルカメラ１は、薄型の略直方体形状を有している。
【００１９】
図１に示すように、デジタルカメラ１は、その正面側に撮影レンズ２と光学ファインダー４とフラッシュ６とを備えており、その上面側に電源ボタン３とシャッタボタン（レリーズボタン）９とマイク１２とを備えている。また、図２に示すように、デジタルカメラ１は、その背面側に液晶表示部（以下、ＬＣＤという。）５とボタン群７，８とクイックレビューボタン（以下、ＱＶボタンとも称する）１１とスピーカ１３とを備えている。ボタン群７は十字カーソルボタン（ないしカーソルキー）７ａ〜７ｄを有しており、ボタン群８は実行ボタン８ａとメニューボタン８ｂとフラッシュモードボタン８ｃと液晶モニターボタン８ｄとを有している。さらに、図１および図２に示すように、デジタルカメラ１は、その側方の面に蓋１４とＤＣ入力端子１５とＵＳＢ端子１６とＡＶ出力端子１７とを備えている。
【００２０】
後述するように、デジタルカメラ１は、撮影レンズ２からの被写体像をＣＣＤ（撮像素子）２０（図３）によって光電変換することなどによって、被写体に関する画像データを取得する。
【００２１】
また、電源ボタン３は、電源のオン操作およびオフ操作を受け付けるために用いられる。具体的には、電源ボタン３を押下するごとにオン状態への移行とオフ状態への移行とが交互に繰り返される。
【００２２】
シャッタボタン９はユーザ（操作者）による半押し状態（以下、状態Ｓ１とも称する）と全押し状態（以下、状態Ｓ２とも称する）とを区別して検出可能な２段階押し込みスイッチとなっており、半押し状態Ｓ１のときに自動合焦制御を開始し、全押し状態Ｓ２のときに記録用画像を撮影するための本撮影動作を開始する。
【００２３】
ＬＣＤ５は、本撮影動作前のプレビュー表示（ライブビュー表示とも称する）及び記録画像の再生表示等を行う。このＬＣＤ５は、所定数（ここでは３２０×２４０）の表示画素を有しており、カラー画像を表示することができる。
【００２４】
操作者は、ＬＣＤ５におけるライブビュー表示によって撮影画像における被写体の位置および大きさ等を知覚し、フレーミング動作を行うことができる。なお、ＬＣＤ５を用いることなく光学ファインダー４のみを用いてフレーミング動作を行うことも可能である。
【００２５】
また、ＱＶボタン１１は、デジタルカメラ１における複数の動作モード、具体的には、撮影モードと再生モードとアルバム再生モード（後述）と切り替える機能を有している。後述するように、原則としてＱＶボタン１１が押下されるごとに、これら３つのモードが順次に且つ循環的に（サイクリックに）選択される。なお、後述するように、動作モードの変更に伴ってＬＣＤ５における表示画像も切り替わることから、ＱＶボタン１１は、ＬＣＤ５における表示画像を切り替える切替ボタンであるとも表現できる。
【００２６】
メニューボタン８ｂは、ＬＣＤ５へのメニューの表示および非表示を切り替える機能を有している。たとえば、各動作モードの初期画面においてメニューボタン８ｂが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行ボタン８ａを押下することによって、その選択肢に対応する設定動作等が実行される。このような操作によって、各種撮影パラメータの設定、アルバム登録（後述）等を行うことが可能である。
【００２７】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００２８】
液晶モニターボタン８ｄは、液晶モニターの表示・非表示を切り替えるためのボタンである。液晶モニターボタン８ｄが押下されるごとに、液晶モニターに画像等が表示された状態（表示状態）と表示されない状態（非表示状態）とが交互に切り替わる。非表示状態にしておけば消費電力を低減できる。
【００２９】
また、マイク１２は、動画撮影、ボイスメモ、ボイスレコーディング、アフターレコーディング（アフレコ）時において、音声データを取得する（録音する）ために用いられる。
【００３０】
スピーカ１３は、音声を出力する機能を有しており、音声データあるいは音声付き画像データ（静止画、動画）を再生するときなどに用いられる。
【００３１】
さらに、蓋１４は、電池室およびメモリカード装着部を覆う部分に設けられている。言い換えれば、蓋１４の内部側には、電源電池ＢＴを収容する電池室と着脱自在な記録媒体（可搬性記録媒体）であるメモリカードを装着するメモリカード装着部とが設けられている。電源電池ＢＴおよびメモリカード９０は、それぞれ、電池室およびメモリカード装着部に対して着脱自在に装着される。本撮影によって得られる画像データおよび後述するアルバム画像データ等は、この挿入装着部にセットされるメモリカード９０に記録される。また、デジタルカメラ１は、電源電池ＢＴからの電力供給を受けることもできるし、ＤＣ入力端子１５を用いてＡＣアダプタ（不図示）等からの電力供給を受けることもできる。
【００３２】
ＵＳＢ端子１６は、パーソナルコンピュータ（パソコンとも略称する）等とのデータ通信を行うための端子である。ＵＳＢ端子１６にＵＳＢ規格のケーブル等を接続することによって外部機器（パソコン等）とのデータ通信を行うことができる。
【００３３】
ＡＶ出力端子１７は、テレビなどの外部映像音響機器（ＡＶ機器）に接続するための端子である。所定のＡＶコードをこのＡＶ出力端子１７と外部映像音響機器側の入力端子とを接続することによって、その外部映像音響機器に画像および／または音声を出力することができる。
【００３４】
次に、図３を参照しつつ、デジタルカメラ１の内部構成について説明する。図３は、デジタルカメラ１の内部機能を示すブロック図である。
【００３５】
ＣＣＤ（撮像素子）２０は被写体像を撮影して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００３６】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３７】
Ａ／Ｄ変換器２２は、画像信号の各画素信号を１２ビットのデジタル信号に変換するものである。変換後のデジタル信号は、画像データとして一時的にＲＡＭ５０ａ内のバッファメモリ５４に格納される。そして、バッファメモリ５４に保存された画像データに対して、次述する画像処理部５１による、ＷＢ（ホワイトバランス）処理、γ補正処理、および色補正処理等が施された後、圧縮／伸張部５２による圧縮処理等が施される。
【００３８】
また、マイク１２から得られる音声信号は、アナログ信号処理回路２１に与えられた後、Ａ／Ｄ変換器２２に転送される。Ａ／Ｄ変換器２２は、転送された音声信号をアナログ信号からデジタル信号に変換するものである。変換後のデジタル信号は、音声データとして一時的にバッファメモリ５４に格納される。そして、バッファメモリ５４に保存された音声データに対して、音声処理部５３による各種の処理が施される。
【００３９】
操作部３０は、上述した電源ボタン３、ボタン群７，８、シャッタボタン９、ＱＶボタン１１等を含む操作部であり、ユーザがデジタルカメラ１の設定状態を変更操作する際や撮影操作を行う際等に用いられる。
【００４０】
電源４０は、デジタルカメラ１に対する電力供給源である。デジタルカメラ１は、リチウムイオン電池などの二次電池を電源電池ＢＴとして用いて駆動される。
【００４１】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する制御手段として機能する。全体制御部５０は、たとえば、ライブビュー表示処理、およびメモリカードへの記録処理などをも制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データおよび音声データを一時的に記憶する。
【００４２】
全体制御部５０は、画像処理部５１、圧縮／伸張部５２、音声処理部５３を有している。これらの各処理部５１，５２，５３は、マイクロコンピュータが所定のプログラムを実行することにより実現される機能部である。
【００４３】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理および伸張処理を行う処理部である。圧縮方式としては、例えばＪＰＥＧ方式などが採用される。音声処理部５３は、音声データに対する各種のデジタル処理を施す処理部である。
【００４４】
また、カードインタフェース（カードＩ／Ｆ）６０は、デジタルカメラ１側面の挿入装着部に対して装着されるメモリカード９０への画像データの書込み及び読出しを行うためのインタフェースである。
【００４５】
メモリカード９０に対する画像データの読み書き時には、圧縮／伸張部５２において例えばＪＰＥＧ方式で画像データの圧縮処理又は伸張処理が行われ、カードインタフェース６０を介して画像データがバッファメモリ５４とメモリカード９０との間で送受信される。また、音声データの読み書き時においてもカードインタフェース６０を介して音声データがバッファメモリ５４とメモリカード９０との間で送受信される。
【００４６】
さらに、デジタルカメラ１は、このカードインタフェース６０を用いて、画像および音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新することなどが可能である。
【００４７】
また、ＵＳＢ端子１６などを介した外部機器（外部コンピュータなど）との通信によっても、画像あるいは音声などの各種のデータ、および制御プログラムなどを送受信することが可能である。たとえば、外部コンピュータの読取装置（光学ドライブ装置等）にセットされた記録媒体（ＣＤ−Ｒ／ＲＷ、ＣＤ−ＲＯＭなど）に記録された各種のデータおよびプログラム等を、ＵＳＢ端子１６を介して取得することが可能である。
【００４８】
＜撮影画像およびアルバム画像＞
つぎに、撮影画像およびアルバム画像について説明する。
【００４９】
図４はメモリカード９０内のフォルダ構成を概念的に示す図である。図４に示すように、撮影画像のファイルは、ＤＣＦ（Ｄｅｓｉｇｎ  ｒｕｌｅ  ｆｏｒ  Ｃａｍｅｒａ  Ｆｉｌｅ  ｓｙｓｔｅｍ）の形式にしたがって作成されて記録される。ここでは、各撮影画像ファイルは、フォルダ「１００ＭＬＴ０９」の中に格納される。フォルダ「１００ＭＬＴ０９」は、フォルダ「ＤＣＩＭ」の下に作成されるフォルダであり、フォルダ「ＤＣＩＭ」は、ルートフォルダの下に作成されるフォルダである。以下、このフォルダ「１００ＭＬＴ０９」を「撮影画像フォルダ」（ないし「記録フォルダ」）とも称する。
【００５０】
各撮影画像ファイルの名称は、「Ｐｉｃｔ０００５．ｊｐｇ」などのように、先頭の８文字（Ｐｉｃｔ０００５）とそれに続くピリオド（．）と３文字の拡張子（ｊｐｇ）とで構成されている。先頭の８文字のうち、前半の４つのアルファベットは、種別（撮影画像等の撮影ファイル（後述）であること）を表しており、後半の４つの数字は撮影画像（撮影ファイル）の作成順に連続的に付与されるシリアル番号である。
【００５１】
したがって、デジタルカメラ１による撮影動作を繰り返すことによって、メモリカード９０内には、「Ｐｉｃｔ０００１．ｊｐｇ」，「Ｐｉｃｔ０００２ｊｐｇ」，「Ｐｉｃｔ０００３．ｊｐｇ」，「Ｐｉｃｔ０００４．ｊｐｇ」，「Ｐｉｃｔ０００５．ｊｐｇ」，「Ｐｉｃｔ０００６ｊｐｇ」，．．．という名称のファイルがこの順序で作成されて格納される。
【００５２】
さて、このデジタルカメラ１においては、撮影画像のうち操作者が気に入った画像を、撮影画像と区別して登録しておくことができる。この明細書においては、このような機能を「アルバム登録」機能と称するものとし、また、アルバム登録によって、撮影画像ファイル等の元のファイルに対応して新規に作成される画像を「アルバム画像」と称するものとする。また、各アルバム画像は、撮影画像とは異なるフォルダ（具体的には、フォルダ「ＡＬＢＵＭ」）に、撮影画像とは別個の画像として格納される。アルバム画像の格納用のフォルダ（以下、「アルバムフォルダ」とも称する）「ＡＬＢＵＭ」は、ルートフォルダの下に作成されるフォルダである。
【００５３】
また、各アルバム画像のファイルの名称は、撮影画像と同様のルールに基づいて付与される。ただし、ファイル名の先頭の８文字のうち、前半の４つのアルファベット（Ａｌｂｍ）は、種別（アルバム登録されたものであること）を表しており、後半の４つの数字はアルバム画像等の作成順に連続的に付与されるシリアル番号である。
【００５４】
図４に示すように、たとえば、操作者が「Ｐｉｃｔ０００６ｊｐｇ」という名称のファイルをお気に入りの画像としてアルバム登録すると、「Ａｌｂｍ０００３．ｊｐｇ」という名称のアルバム画像のファイル（アルバム画像ファイル）が生成される。ここでは、３番目のアルバム画像が生成される場合を想定しているので、生成されたアルバム画像ファイルのシリアル番号が「０００３」になっている。
【００５５】
また、アルバムフォルダは、アルバム画像ファイル等の他に、アルバム登録された複数のファイルに関する基本情報を記録したファイル（以下、「アルバム情報ファイル」とも称する）を有している。このアルバム情報ファイルは、図４において「Ａｌｂｕｍ．ｉｎｆ」という名称のファイルとして示されており、図６のような構成を有している。なお、このアルバム情報ファイルの内容については後述する。
【００５６】
このようなアルバム登録機能によれば、操作者は撮影画像のうち気に入った画像をアルバム画像として登録しておくことができる。
【００５７】
アルバム画像は撮影画像とは区別して扱われるので、撮影画像をパソコンなどの外部機器に移動させてメモリカード９０内からは消去した後であっても、アルバム登録された画像はメモリカード９０内に残存することになる。そのため、操作者は、撮影画像はメモリカード９０から消去された後であっても、アルバム登録されている気に入った画像を、メモリカード９０内から読み出してＬＣＤ５に表示させることなどができる。すなわち、気軽に閲覧することができる。特に、メモリカード９０の容量は内蔵メモリに比べて大きいため、内蔵メモリにアルバム画像を格納しておく場合に比べて、さらに多くの画像を格納しておくことが可能である。
【００５８】
また、メモリカード９０内に残存しているアルバム画像を用いて、印刷を行うこともできる。これによれば、気に入った画像を気軽に印刷することができる。特に、ダイレクトプリント対応のプリンタにメモリカード９０を直接挿入してダイレクトプリントを行えば、気に入った画像を非常に簡易に印刷することが可能になる。
【００５９】
図５は各ファイルの構成を概念的に示す図である。図５では、撮影画像ファイルの構成を示しているが、アルバム画像ファイルも同様の構成を有している。
【００６０】
図５に示すように、各撮影画像ファイルは、所定形式（ここではＥｘｉｆ形式）のファイルとして作成される。具体的には、各撮影画像のファイルは、タグ情報ＴＧと、ＪＰＥＧ形式で圧縮された高解像度の画像データ（ここでは、１６００×１２００画素の画像信号）ＤＰと、サムネイル表示用の画像データ（ここでは、８０×６０画素の画像信号）ＤＭとを有している。このうち、タグ情報ＴＧには、「ファイル名」、「撮影日時」、「撮影に使用されたカメラのシリアルナンバー」、「関連する音声ファイル」、および「アルバム登録の有無」などの情報が含まれている。
【００６１】
また、各アルバム画像ファイルも、同様の形式（ここではＥｘｉｆ形式）のファイルとして作成される。各アルバム画像のファイルは、同様に、タグ情報ＴＧと、ＪＰＥＧ形式で圧縮された高解像度の画像データＤＰと、サムネイル表示用の画像データＤＭとを有している。ただし、データ量を低減するため、高解像度の画像データＤＰとしては、撮影画像の解像度よりも低い解像度の画像信号に変換されたデータを格納しておくものとする。具体的には、このアルバム画像の画像データＤＰは、圧縮された状態でメモリカード９０に格納されている１６００×１２００画素のサイズの撮影画像の画像データＤＰを圧縮／伸張部５２により一旦伸張し、画像処理部５１などによる解像度変換処理によって６４０×４８０画素のサイズに変換した後、さらに圧縮／伸張部５２によりＪＰＥＧ形式で再圧縮することによって生成される。また、上記において例示した撮影画像ファイルのタグ情報ＴＧのうち、「アルバム登録の有無」は不要であるが、「撮影日時」、「撮影に使用されたカメラのシリアルナンバー」、および「関連する音声ファイル」などの情報はそのままアルバム画像ファイルのタグ情報ＴＧとして引き継がれる。
【００６２】
また、各ファイルには、その属性ＡＴが定められている。具体的には、「読み取り専用属性（Ｒ）」、「アーカイブ属性（Ａ）」、「システムファイル属性（Ｓ）」、および「隠しファイル属性（Ｈ）」の４つの属性のいずれかが各ファイルに対して決定される。撮影画像に対しては、通常、「アーカイブ属性（Ａ）」および「読み取り専用属性（Ｒ）」のいずれかが付与される。「アーカイブ属性」が与えられたファイルに対しては、読出動作および書込動作の両方が許可されるが、「読み取り専用属性」が与えられたファイルに対しては、読出動作のみが許可され、書込動作が禁止される。
【００６３】
撮影画像ファイルには、撮影時点において「アーカイブ属性（Ａ）」が付与される。一方、アルバム画像ファイルには、登録時点において「読み取り専用属性（Ｒ）」が付与される。このように、アルバム画像ファイルに対しては「読み取り専用属性（Ｒ）」が初期的に付与されるため、気に入った画像として登録された大事なアルバム画像を誤操作で消去してしまうことを回避することができる。
【００６４】
なお、このデジタルカメラ１では静止画像の撮影だけでなく、動画の撮影および音声の録音等を行うことも可能である。この明細書では、このような撮影動作等によって得られるデータファイルを「撮影ファイル（ないし記録ファイル）」と総称するものとする。撮影ファイルは、画像データおよび／または音声データを含むファイルであるとも表現される。
【００６５】
また、アルバム登録の対象は静止画像に限定されず、動画像、音声などの撮影ファイルもまたアルバム登録の対象となる。この明細書では、撮影ファイルに対応して新規に作成されてアルバム登録されたファイルを「アルバム登録ファイル（ないしアルバム登録オブジェクト）」あるいは単に「アルバムファイル」と称するものとする。アルバムファイルは、全体制御部５０の制御下において、登録元の撮影ファイル（データファイル）に基づいて作成され、登録元の撮影ファイルとは互いに異なるフォルダに格納される。
【００６６】
以下では、画像（特に静止画像）を中心にそのアルバム登録動作等について説明する。
【００６７】
＜デジタルカメラにおける状態遷移の概略＞
図７は、デジタルカメラ１における状態遷移図であり、ＬＣＤ５における表示状態を中心に示す図である。図７の角丸四角の中には、ＬＣＤ５における表示画面が示されている。アルバム登録動作の詳細について説明する前に、図７を参照しながらデジタルカメラ１における状態遷移の概要について説明する。
【００６８】
まず、電源ボタン３の押下に応答して電源がオン状態にされると、デジタルカメラ１は状態ＳＴ１０に移行する。状態ＳＴ１０においては、デジタルカメラ１は「撮影モード」に設定され、撮影のためのプレビュー画像であるライブビュー画像がＬＣＤ５に表示される。「撮影モード」は画像（動画、静止画）あるいは音声を、撮影あるいは録音するモードである。
【００６９】
また、デジタルカメラ１は、上述したように、「撮影モード」の他に、「再生モード」および「アルバム再生モード」を有している。「再生モード」は撮影画像（および録音音声等）のファイルを再生するモードであり、「アルバム再生モード」はアルバムファイルを再生するモードである。
【００７０】
これらのモードの切替には、ＱＶボタン１１が用いられる。原則として、ＱＶボタン１１が押下されるごとに、デジタルカメラ１は３つのモードに対して順次に且つ循環的に（サイクリックに）移行する。ただし、例外的に、撮影ファイルがメモリカード９０内に存在しないときには「再生モード」には移行せず、アルバムファイルがメモリカード９０内に存在しないときには「アルバム再生モード」には移行しない。
【００７１】
以下では、このモード切替についてさらに詳細に説明する。
【００７２】
状態ＳＴ１０においてＱＶボタン１１が一度押下されると、メモリカード９０内に撮影ファイルが保存（格納）されているか否かが判定される（状態ＳＴ４１）。
【００７３】
そして、メモリカード９０内に撮影ファイルが１つでも記録されていれば状態ＳＴ２０に移行する。状態ＳＴ２０は、デジタルカメラ１が「再生モード」に設定され、ＬＣＤ５に撮影画像等の再生画像が表示されている状態である。状態ＳＴ２０に移行すると、直近に撮影された撮影画像等に関する再生画像がＬＣＤ５に最初に表示される。また、左右方向のキー７ｃまたは７ｄを押下するごとに、ＬＣＤ５での表示対象ファイルがその撮影順序での前方向あるいは後方向に順次に変更される。
【００７４】
一方、メモリカード９０内に撮影ファイルが１つも記録されていない場合には状態ＳＴ４２に移行する。
【００７５】
また、状態ＳＴ２０においてＱＶボタン１１がもう一度押下されたときにも、状態ＳＴ４２に移行する。
【００７６】
状態ＳＴ４２においては、メモリカード９０内にアルバムファイルが格納（保存）されているか否かが判定される。
【００７７】
そして、メモリカード９０内にアルバムファイルが１つでも記録されていれば状態ＳＴ３０に移行する。状態ＳＴ３０は、デジタルカメラ１が「アルバム再生モード」に設定され、ＬＣＤ５にアルバム画像が表示されている状態である。状態ＳＴ３０に移行すると、最初に、直近に登録されたアルバムファイルに関するアルバム画像がＬＣＤ５に表示される。また、左右方向のキー７ｃまたは７ｄを押下するごとに、ＬＣＤ５での表示対象ファイルがその登録順序での前方向あるいは後方向に順次に変更される。
【００７８】
一方、メモリカード９０内にアルバムファイルが１つも記録されていない場合には状態ＳＴ４３に移行し、メモリカード９０内に撮影ファイルが１つも記録されていないか否かが判定される。そして、メモリカード９０内に撮影ファイルもアルバムファイルも全く記録されていないと判定される場合には状態ＳＴ４４に移行し、「メモリカードに画像がありません」という文字を表示して状態ＳＴ１０に戻る。メモリカード９０内に撮影ファイルは記録されていると判定される場合には、状態ＳＴ４１に移行することなくそのまま状態ＳＴ１０に復帰する。
【００７９】
また、状態ＳＴ３０においてＱＶボタン１１がもう一度押下されたときにも、状態ＳＴ１０に再び移行する。
【００８０】
以上の動作によれば、撮影ファイルおよびアルバムファイルの双方がともにメモリカード９０内に記録されているときには、ＱＶボタン１１が押下されるごとに、これら３つのモード（「撮影モード」、「再生モード」、「アルバム再生モード」）が順次に且つ循環的に（サイクリックに）選択される。そして、ＱＶボタン１１の押下に応答して、撮影モードにおけるライブビュー画像と、再生モードにおけるデータファイルに関する再生画像と、アルバム再生モードにおけるアルバムファイルに関するアルバム画像との間で表示画像が変更される。したがって、ボタンの押下のみでアルバム画像等を表示できるので、アルバム画像を容易に閲覧することが可能である。
【００８１】
また、メモリカード９０内に撮影ファイルが記録されているもののアルバムファイルが記録されていないときには、ＱＶボタン１１の押下に応答して、「撮影モード」と「再生モード」とが順次に且つ循環的に選択される。言い換えれば、メモリカード９０がアルバムファイルを有しているときにのみ、ＱＶボタン１１の押下に応答してアルバム画像が表示する状態に変更される。このように、アルバムファイルがメモリカード９０内に存在しないときには、アルバムファイルを表示する画面に切り替わらない。したがって、無用な切り替えをなくすことができる。
【００８２】
さらに、メモリカード９０内にアルバムファイルが記録されているものの撮影ファイルが記録されていないときには、ＱＶボタン１１の押下に応答して、「撮影モード」と「アルバム再生モード」とが順次に且つ循環的に選択される。言い換えれば、メモリカード９０が撮影ファイルを有していないときには、ＱＶボタン１１の押下に応答して、ライブビュー画像とアルバム画像との間でのみ、表示画像が変更される。すなわち、撮影ファイルがメモリカード９０内に存在しないときには、撮影ファイルを表示する画面には切り替わらない。したがって、無用な切り替えをなくすことができる。
【００８３】
また、メモリカード９０内にアルバムファイルも撮影ファイルも記録されていないときには、「撮影モード」のみしか選択できない。このとき、ＱＶボタン１１の押下に応答して、「メモリカードに画像がありません」という文字がＬＣＤ５に表示されるので、操作者はモード変更が不可能であることを認識できる。
【００８４】
つぎに、状態ＳＴ１０，ＳＴ２０，ＳＴ３０からの更なる状態遷移について説明する。
【００８５】
状態ＳＴ１０においてメニューボタン８ｂを押下すると状態ＳＴ１１へと移行し、再びメニューボタン８ｂを押下すると状態ＳＴ１０に戻る。状態ＳＴ１１は、撮影モード内のサブモードへの変更等を行うことが可能な状態であり、撮影種類等を設定するための「撮影メニュー」がＬＣＤ５に表示される。状態ＳＴ１１においては、ライブビュー画像が背景画像として表示されたまま、撮影メニュー画面の各項目がオーバーレイ表示される。
【００８６】
また、状態ＳＴ２０においてメニューボタン８ｂを押下すると状態ＳＴ２１へと移行し、再びメニューボタン８ｂを押下すると状態ＳＴ２０に戻る。状態ＳＴ２１は、再生モードでの各種の設定を行うことが可能な状態であり、各種の設定動作を行うためのメニュー画面である「再生メニュー」がＬＣＤ５に表示される。状態ＳＴ２１においては、撮影画像（再生画像）が背景画像として表示されたまま、再生メニュー画面の各項目がオーバーレイ表示される。
【００８７】
さらに、状態ＳＴ３０においてメニューボタン８ｂを押下すると状態ＳＴ３１へと移行し、再びメニューボタン８ｂを押下すると状態ＳＴ３０に戻る。状態ＳＴ３１は、アルバム再生モードでの各種の設定を行うことが可能な状態であり、各種の設定動作を行うためのメニュー画面である「アルバム再生メニュー」がＬＣＤ５に表示される。状態ＳＴ３１においては、アルバム画像が背景画像として表示されたまま、アルバム再生メニュー画面の各項目がオーバーレイ表示される。
【００８８】
また、図８、図９、および図１０は、それぞれ、状態ＳＴ１１、状態ＳＴ２１、状態ＳＴ２２でのＬＣＤ５に表示されるメニュー画面Ｇ１１，Ｇ２１，Ｇ３１を示す図である。
【００８９】
図８は、状態ＳＴ１１における撮影メニュー画面Ｇ１１の一例を示す図である。この撮影メニュー画面Ｇ１１などを用いた各種の設定操作によれば、撮影の種類を変更することなどが可能である。具体的には、メニュー画面Ｇ１１の中から「単写」又は「連写」を選択すれば静止画像の撮影が可能であり、「動画」を選択すれば動画の撮影が可能である。また、音声の録音動作を行うことも可能である。たとえば、「ボイスメモ」を選択すれば、１枚の静止画像の撮影後の一定期間にわたって音声を記録することができる。また、「ボイスレコード」を選択すれば、静止画像の記録を伴うことなく、音声のみを録音することができる。
【００９０】
図９は、状態ＳＴ２１における再生メニュー画面Ｇ２１の一例を示す図であり、図１０は、状態ＳＴ３１におけるアルバム再生メニュー画面Ｇ３１の一例を示す図である。メニュー画面Ｇ２１，Ｇ３１などを用いた各種の操作によれば、撮影画像等に対する様々な設定動作を行うことが可能である。
【００９１】
図９と図１０とを比較すると判るように、再生メニュー画面Ｇ２１とアルバム再生メニュー画面Ｇ３１とは類似の構成を有している。具体的には、「プロテクト」、「削除」、「スライドショー」、「プリント指定」、「カメラのセットアップ」の各項目は、いずれのメニューにおいても存在している。すなわち、両メニュー画面Ｇ２１，Ｇ２２の項目は、部分的に一致している。
【００９２】
言い換えれば、再生モードおよびアルバム再生モードの両モードにおけるメニュー画面はいずれも階層構造を有しており、両モードにおける同一階層のメニュー画面（たとえば、両モードの各初期画面Ｇ２０，Ｇ３０の次に最初に表示される第１の階層の各メニュー画面Ｇ２１，Ｇ３１）は、互いに一致する項目（「プロテクト」、「削除」、「スライドショー」、「プリント指定」、「カメラのセットアップ」の各項目）を有している。
【００９３】
したがって、再生モードおよびアルバム再生モードのいずれのモードにおいても、「プロテクト」、「削除」、「スライドショー」、「プリント指定」、「カメラのセットアップ」の各項目に関する設定動作を、同様のメニュー画面Ｇ２１，Ｇ３１等を用いた類似の操作で実現することができる。これにより、操作における統一感が増大する。言い換えれば、操作者は共通操作で同様の設定動作を行うことができるので、操作性が高い。
【００９４】
また、その一方で、再生モードにおけるメニュー画面Ｇ２１には「再生メニュー」であることが文字を用いて明示され、アルバム再生モードにおけるメニュー画面Ｇ３１には「アルバム再生メニュー」であることが文字を用いて明示される。すなわち、再生モードおよびアルバム再生モードおける各メニュー画面Ｇ２１，Ｇ３１は、それぞれ、再生モードおよびアルバム再生モードのいずれのモードのメニュー画面であるかを示す「識別部分」を有している。したがって、操作者は、ＬＣＤ５に表示されているメニュー画面が、再生モードにおけるメニュー画面Ｇ２１であるのか、あるいは、アルバム再生モードにおけるメニュー画面Ｇ３１であるのかを、確実に認識することが可能である。
【００９５】
特に、この実施形態においては、ＱＶボタン１１の押下に応答して再生モード（状態ＳＴ２０）とアルバム再生モード（状態ＳＴ３０）とが容易に切り替えられる。また、更なる操作（具体的には、メニューボタン８ｂの押下）に応答して、状態ＳＴ２０から状態ＳＴ２１へと容易に移行することもでき、同様に状態ＳＴ３０から状態ＳＴ３１へと容易に移行することもできる。そして、モードの移行操作等が容易であるが故に、操作者は状態ＳＴ２１、ＳＴ３１でのメニュー画面がいずれのモードにおけるメニュー画面であるかを誤認する事態になることが想定される。
【００９６】
しかしながら、このような場合においても、各状態ＳＴ２１，３１における各メニュー画面Ｇ２１，Ｇ３１に表示されている上述の識別部分によって、表示画面が再生モードおよびアルバム再生モードのいずれのモードのメニュー画面であるかを容易に認識することができる。したがって、モードの誤認に起因する誤操作を防止できる。なお、ここでは文字を用いて識別部分を構成しているが、所定の図形等を用いて識別部分を構成するようにしてもよい。
【００９７】
また、メニュー画面の各項目の左端には、３つの種類の記号（具体的には、白い菱形、黒い菱形、×印）のいずれかが表示される。×印は選択不可能な項目であることを意味し、菱形の記号は選択可能な項目であることを意味している。また、黒い菱形は現在選択されている項目を意味している。操作者が、上下方向ののキー７ａまたは７ｂを用いて選択項目を変更し、所望の選択項目の記号が黒い菱形に変更された状態で、実行ボタン８ａを押下すると、その選択項目に対する動作（具体的には、更なるサブメニュー画面の表示）が実行される。
【００９８】
＜アルバム登録＞
つぎに、アルバム登録動作について詳細に説明する。
【００９９】
図１１〜図１３は、登録手順について説明するための図である。図１１は、再生モードにおける状態遷移図を示している。図１２は登録動作の全体の流れを示すフローチャートであり、図１３はその一部の流れを示すフローチャートである。
【０１００】
まず、図１１に示すように、状態ＳＴ２０においてメニューボタン８ｂを押下すると状態ＳＴ２１に移行する。そして、状態ＳＴ２１でＬＣＤ５に表示される再生メニュー画面Ｇ２１において「アルバムに追加登録」という項目をキー７を用いて選択して実行ボタン８ａを押下すると、状態ＳＴ２２に移行する。なお、状態ＳＴ２２において、メニューボタン８ｂを押下すれば状態ＳＴ２１に戻ることができる。
【０１０１】
状態ＳＴ２２においては、追加登録のためのメニュー画面Ｇ２２が表示される。状態ＳＴ２２のメニュー画面Ｇ２２においては、再生中の撮影画像が背景画像として表示されたままで、メニュー項目がオーバーレイ表示される。
【０１０２】
このメニュー画面Ｇ２２においては、「この画像」および「一括」の２つの項目が表示されている。前者の項目「この画像」は、撮影画像を１枚ずつ登録することを指示するためのコマンドであり、後者の項目「一括」は、撮影画像フォルダ（「１００ＭＬＴ０９」（図４参照））内の複数（ここでは全て）の撮影画像を一括して登録することを指示するためのコマンドである。
【０１０３】
このメニュー画面Ｇ２２で、いずれかの項目が選択された後に実行ボタン８ａが押下されると、全体制御部５０は、一括登録の指示入力を受け付けたものと判定して、アルバム登録動作を実行する。
【０１０４】
このアルバム登録動作について、図１２を参照しつつ説明する。
【０１０５】
まず、ステップＳＰ５０において、一括登録の指示が与えられているのか否かが判定される。一括登録の指示が与えられている場合には、ステップＳＰ５１に進み、そうでない場合（すなわち画像を１つずつ登録する旨の指示が与えられている場合）には、ステップＳＰ６１に進む。
【０１０６】
ステップＳＰ５１においては、メモリカード９０の空き容量が確認される。そして、一括登録に必要な容量（言い換えれば、撮影画像フォルダ内の全ファイルをアルバム登録するために必要な容量）とメモリカード９０内の空き容量（未使用領域の容量）とが比較される。一括登録に必要な容量がメモリカード９０内に残存していないと判定されると、メモリカードが容量不足であることを示す文字等がＬＣＤ５に一定期間（例えば数秒間）にわたって表示され（ステップＳＰ５９）、状態ＳＴ２１（図１１）に戻る。一方、一括登録に必要な容量がメモリカード９０内に残存していると判定されると、ステップＳＰ５２に進む。
【０１０７】
ステップＳＰ５２においては、撮影画像フォルダ内の最初のファイル（シリアル番号が最も小さなファイル）が、登録処理の対象ファイル（登録対象ファイル）として指定される。
【０１０８】
ステップＳＰ５３においては、登録対象のデータファイルに対応するアルバムファイルが既に作成されているか否か、言い換えれば、登録対象ファイルが既にアルバム登録されているファイルであるか否かが判定される。すなわち、重複登録がチェックされる。
【０１０９】
登録処理の対象ファイルが既にアルバム登録されていることが検出された場合には、ステップＳＰ５５に進み、重複登録の警告が出力される。例えば、登録対象ファイルと同一の撮影画像ファイルが既にアルバム登録されている旨を示す文字等が、警告としてＬＣＤ５に表示される。そして、重複登録を回避するため、登録対象ファイルのアルバム登録が禁止され、登録対象ファイルをアルバム登録することなく、ステップＳＰ５６に進む。これにより、同一の撮影画像ファイル（データファイル）を重複してアルバム登録することを回避できる。
【０１１０】
一方、登録対象ファイルが未だアルバム登録されていない場合には、ステップＳＰ５４のアルバムファイル作成処理に進む。
【０１１１】
図１３は、ステップＳＰ５４，ＳＰ６４におけるアルバムファイル作成処理の詳細動作（ステップＳＰ７０）を示すフローチャートである。ここでは、登録処理の対象ファイルが静止画像ファイルであることを前提に説明を行う。
【０１１２】
まず、ステップＳＰ７１において、対象の撮影画像ファイルの高解像度（１６００×１２００画素）の画像データを伸張し、その画像データをステップＳＰ７２においてＶＧＡサイズ（６４０×４８０画素）にリサイズして再圧縮する。
【０１１３】
ステップＳＰ７３においては、新規のアルバム画像ファイルのファイル名が決定される。特に、新規ファイル名のシリアル番号が決定される。具体的には、デジタルカメラ１は、アルバム情報ファイル（「Ａｌｂｕｍ．ｉｎｆ」（図６参照））を参照し、既登録ファイルのシリアル番号のうち最も大きな番号（即ち最も新しく登録されたファイルのシリアル番号）を１つインクリメントした番号を、新規ファイルのシリアル番号として決定する。たとえば、図６に示すように、最後の登録ファイルが「Ａｌｂｍ００９４．ｊｐｇ」である場合には、新規ファイルのシリアル番号は「００９５」になる。このとき、新規のアルバム画像ファイルの名称は、「Ａｌｂｍ００９５．ｊｐｇ」に決定される。この名称は、アルバムファイルであることを示す「Ａｌｂｍ」とそのシリアル番号とデータ内容の種類が静止画像であることを示す拡張子「ｊｐｇ」とを合成して生成される。
【０１１４】
ステップＳＰ７４においては、リサイズしたＶＧＡサイズのデータを用いて、この名称「Ａｌｂｍ００９５．ｊｐｇ」を有するアルバム画像ファイルを作成する。そして、ステップＳＰ７５において、さらにこの新規ファイルの属性を読み取り専用（リードオンリー）に設定する。これにより、この新規ファイルにプロテクトがかかることになる。
【０１１５】
その後、ステップＳＰ７６において、アルバム情報ファイル（「Ａｌｂｕｍ．ｉｎｆ」）にファイル「Ａｌｂｍ００９５．ｊｐｇ」の情報を追記して、アルバム情報ファイルを更新する。
【０１１６】
再び、図１２を参照する。
【０１１７】
次のステップＳＰ５６において、全ての撮影画像についてアルバム登録が終了したか否かが判定される。
【０１１８】
未処理の撮影画像が撮影画像フォルダ内に存在する場合には、次のファイルを登録対象ファイルとして指定（ステップＳＰ５７）した後、進行状況表示を行い（ステップＳＰ５８）、再びステップＳＰ５３以降の処理を繰り返す。進行状況表示には、アルバム登録中であること、および処理中のファイルが何番目のものであるかが示される。たとえば、「アルバム登録しています。．．．２／１０」という表示によって、全１０個のファイルのうち２番目のファイルを処理中であることを示すことができる。
【０１１９】
一方、撮影画像フォルダ内の全ての撮影画像についてのアルバム登録処理が完了している場合には、このルーチンを終了し、状態ＳＴ２１に復帰する。このようにして、状態ＳＴ２２（図１１）において「一括」を選択して実行ボタン８ａを１回押下すること（すなわち、一括登録の指示入力）に応答して、複数のアルバムファイルが作成される。登録対象画像指定のためのボタン操作および登録開始のための実行ボタン８ａの押下操作という一連の操作を繰り返す必要がないので、一括登録時の操作が容易である。また、特に、撮影画像フォルダ内の「全て」の撮影画像についてのアルバム登録処理は、操作者による操作頻度が高く、そのような登録操作を容易化することが可能である。
【０１２０】
また、ステップＳＰ５０からステップＳＰ６１に進んだ場合（個別登録の指示が与えられた場合）にも同様の処理が行われる。ステップＳＰ６１，ＳＰ６３，ＳＰ６４，ＳＰ６５は、それぞれ、ステップＳＰ５１，ＳＰ５３，ＳＰ５４，ＳＰ５５と同様の処理である。ただし、ステップＳＰ６１においては、１つのファイルのアルバム登録に必要な容量がメモリカード９０内に残存しているか否かが判定される。
【０１２１】
ところで、上記のステップＳＰ５３における重複登録チェックにおいては、アルバム情報ファイル「Ａｌｂｕｍ．ｉｎｆ」の情報が用いられる。
【０１２２】
アルバム情報ファイルには、図６に示すように、登録された複数のアルバムファイルのそれぞれに関する情報が含まれている。具体的には、アルバム情報ファイルには、アルバムフォルダ内に含まれる各アルバムファイルに関するファイル名およびファイル属性に加えて、各アルバムファイルの登録元の撮影画像ファイルのファイル名、その撮影画像ファイルの撮影に使用したデジタルカメラのシリアル番号、およびその撮影画像ファイルの撮影日時の情報が記述されている。
【０１２３】
たとえば、アルバムファイル「Ａｌｂｍ０００３．ｊｐｇ」に関しては、そのファイル属性が読み取り専用（リードオンリー）であり、対応するアルバム登録時の元画像は「Ｐｉｃｔ０００６．ｊｐｇ」であり、その元画像の撮影日時は２００２年１２月０１日１２時３４分５６秒であり、その元画像の撮影に使用されたデジタルカメラの製品シリアル番号（カメラの識別番号）は「０１２３４５６７」であることが記述されている。なお、製品シリアル番号は、各デジタルカメラ１のＲＯＭ５０ｂなどに格納されており、撮影時に読み出され撮影画像ファイルのタグ情報ＴＧに記述されている。また、撮影日時もタグ情報ＴＧに記述されている。そのため、デジタルカメラ１は、各登録対象ファイルのタグ情報ＴＧの情報を読み出して、各種の情報をアルバム情報ファイルに記録することができる。
【０１２４】
上記のステップＳＰ５３においては、アルバム登録における元画像のファイル名とデジタルカメラのシリアル番号と撮影日時との３つの条件（３つの情報）が、登録対象の撮影画像ファイルと登録済みの撮影画像ファイルとの間で全て一致するか否かによって、登録対象の撮影画像ファイルが既にアルバム登録されたものか否かを判定する。元画像のファイル名だけでなく、デジタルカメラのシリアル番号および撮影日時もが一致しているか否かを考慮しているので、重複登録をより正確に判定することができる。
【０１２５】
なお、これに限定されず、３つの条件のうち、いずれか１つまたは２つが一致しているか否かによって重複登録を判定しても良い。たとえば、アルバム登録における元画像のファイル名とデジタルカメラのシリアル番号との２つの条件が、登録対象の撮影画像ファイルと登録済みの撮影画像ファイルとの間で全て一致するか否かによって、登録対象の撮影画像ファイルが既にアルバム登録されたものか否かを判定してもよい。元画像のファイル名だけでなく、デジタルカメラのシリアル番号もが一致しているか否かを考慮しているので、重複登録をより正確に判定することができる。たとえば、これによれば、異なるデジタルカメラで撮影され撮影日時が偶然に一致し且つファイル名も偶然に一致した２つのファイルが、本来は異なる撮影画像であることを正確に判定できる。
【０１２６】
また、上記実施形態においては、状態ＳＴ２２において「一括」を選択して実行ボタン８ａを押下するだけで、撮影画像フォルダ内の全てのファイルを一括してアルバム登録することができるので、操作が容易である。
【０１２７】
また、一括登録の場合には、新規登録されたアルバムファイルのシリアル番号は登録元の撮影ファイルのシリアル番号の昇順に付与されるので、両者の対応関係において、その順序が入れ替わることがない。したがって、元の撮影ファイルとアルバムファイルとの間の関係を把握しやすい。
【０１２８】
さらに、撮影画像の再生時には、その撮影画像が既にアルバム登録の対象となっているか否かを判定し、その撮影画像が既にアルバム登録の対象となっている場合には、登録済みを示すマークを撮影画像に重ねてＬＣＤ５に表示する。
【０１２９】
図１４は、アルバム登録後再び状態ＳＴ２０に戻ったときのＬＣＤ５での表示画面を示す図である。図１４に示すように、この画面においては、撮影画像が表示されるとともに、画面内の右下側にマークＭＫ１が撮影画像に重ねて表示されている。このマークＭＫ１は、登録済みであることを示すものである。操作者は、このマークＭＫ１によって、既にアルバム登録された画像であるか否かを容易に判別することが可能になる。また、状態ＳＴ２０の画面だけでなく、状態ＳＴ２１，ＳＴ２２の画面においても、同様のマークＭＫ１を表示を行う。これにより、いずれの状態でも同様の効果を得ることができる。
【０１３０】
また、上記においては、重複登録の警告を出力するとともに、同一のデータファイル（撮影画像ファイル）に基づく複数のアルバムファイル（アルバム画像ファイル）の作成を禁止する場合を例示したが、これに限定されない。
【０１３１】
たとえば、重複登録の警告を出力することなく、同一のデータファイルに基づく複数のアルバムファイルの作成を禁止するようにしてもよい。言い換えれば、対応するアルバムファイルが既に作成されているデータファイルについては、当該データファイルに基づくアルバムファイルの再作成を禁止するようにしてもよい。
【０１３２】
より詳細には、ステップＳＰ５３（図１２）で重複登録が検出されたときには、ステップＳＰ５５の重複登録の警告画面を表示することなく、ステップＳＰ５４のアルバムファイルの作成処理を行わないようにしてもよい。
【０１３３】
あるいは、上記のように、状態ＳＴ２１（図１１）から状態ＳＴ２２に移行した後のステップＳＰ５３，ＳＰ６３における判定動作によって重複登録を回避するのではなく、状態ＳＴ２１において図１５に示すような画面をＬＣＤ５に表示し状態ＳＴ２２に移行させないようにして重複登録を回避するようにしてもよい。図１５においては、「アルバムに追加登録」の選択肢の左側の記号が×印になっており、操作者のキー操作によっても選択できない状態となっている。したがって、状態ＳＴ２１から、登録操作を行う次の状態ＳＴ２２（図１１）に進めないため、重複登録を回避できる。このように、再生モードでの各撮影画像ファイル（データファイル）についてのメニュー画面において、アルバム登録のための選択肢を選択できないようにすることなどによって、アルバム登録済みの撮影画像ファイルに対してはアルバム登録操作を禁止するようにしてもよい。
【０１３４】
また、逆に、重複登録の警告を出力する場合であっても、一定の条件の下でアルバムファイルの再作成を許可するようにしてもよい。具体的には、ステップＳＰ５５の警告表示画面において、重複登録の警告を発するとともに、アルバム登録を強行するか否かを問い合わせ、強行すべき旨の指示を受け付けたときのみ、アルバム登録処理を行うようにしてもよい。この場合、ユーザによる判断の機会が得られるので、重複登録を回避することが可能である。
【０１３５】
＜静止画像ファイル以外のアルバム登録＞
図１６は、デジタルカメラ１における撮影動作等によって、メモリカード９０内の撮影画像フォルダ内に格納されたファイル群の一例を示す図である。
【０１３６】
このデジタルカメラ１においては、図１６に示すような、静止画像ファイル（例えば「Ｐｉｃｔ００１０．ｊｐｇ」）以外のファイル、具体的には、動画像および音声に関するデータファイルもアルバム登録の対象とすることができる。より詳細には、「ボイスメモ」による音声ファイル（例えば「Ｐｉｃｔ００１１．ｗａｖ」）、「ボイスレコード」による音声ファイル（例えば「Ｐｉｃｔ００１２．ｗａｖ」）、「アフターレコーディング（アフレコとも略称する）」による音声ファイル（例えば「Ｐｉｃｔ００３２．ｗａｖ」）、「動画」に関する動画像ファイル（例えば「Ｐｉｃｔ００１３．ａｖｉ」）のそれぞれもアルバム登録の対象とすることが可能である。
【０１３７】
このような各種のデータファイルのアルバム登録作業の説明に先立って、各データファイルの概要について説明する。
【０１３８】
「ボイスメモ」、「ボイスレコード」、「動画」による各ファイルは、撮影メニュー画面Ｇ１１などを用いた所定の操作によって取得される。
【０１３９】
例えば、撮影モードが「ボイスメモ」に設定された後にシャッタボタン９が押下されると、静止画像の撮影とともに一定時間の音声の録音が行われる。図１６では、撮影動作による静止画像ファイル「Ｐｉｃｔ００１１．ｊｐｇ」が、ボイスメモとして録音された音声ファイル「Ｐｉｃｔ００１１．ｗａｖ」とともに取得される場合が示されている。両ファイルは、その拡張子が異なっているが、ファイル番号は同一である。ファイル番号を同一とすることによって、両ファイルが互いに関連付けされていることを容易に判別できる。
【０１４０】
また、撮影モードが「ボイスレコード」に設定された後に、シャッタボタン９が押下されると音声の録音が開始されシャッタボタン９が再度押下されると音声の録音が終了する。この録音動作によって、「ボイスレコード」による音声ファイル（たとえば「Ｐｉｃｔ００１２．ｗａｖ」）のみが生成される。この撮影画像フォルダ内には同一番号のファイルが存在しないため、この音声データには撮影画像が関連付けられていないことを判別できる。
【０１４１】
さらに、撮影モードが「動画ファイル」に設定された後に、シャッタボタン９が押下されると動画の記録動作が開始されシャッタボタン９が再度押下されると動画の記録動作が終了する。この記録動作（撮影動作）によって、動画像ファイル（たとえば「Ｐｉｃｔ００１３．ａｖｉ」）のみが生成される。
【０１４２】
また、「アフターレコーディング」による音声データは、図１７に示すような状態遷移を辿ることによって取得される。具体的には、まず、状態ＳＴ２１（図７も参照）でＬＣＤ５に表示される再生メニューの選択肢の中から「画像編集」の項目を選択して実行ボタン８ａを押下することによって、状態ＳＴ２６に移行する。そして、状態ＳＴ２６でＬＣＤ５に表示されるメニュー画面（「画像編集」のサブメニュー）Ｇ２６の中から「アフターレコーディング」という項目を選んで実行ボタン８ａを押下すると、状態ＳＴ２７に移行する。状態ＳＴ２７では、マイク１２による録音が実行され、ＬＣＤ５においては、最大録音可能時間に対する録音済み時間の割合がプログレスバーによって表示される。その後、最大録音可能時間が経過した時、あるいは、実行ボタン８ａが再度押下された時に、アフレコが終了する。そして、音声ファイルが生成されるとともに、その音声ファイルの静止画像ファイルに対する関連付けが行われる。
【０１４３】
たとえば、静止画像ファイル「Ｐｉｃｔ００３１．ｊｐｇ」の撮影の後に、静止画像ファイル「Ｐｉｃｔ００２１．ｊｐｇ」に対してアフレコ操作を行ったときには、音声ファイル「Ｐｉｃｔ００３２．ｗａｖ」が静止画像ファイル「Ｐｉｃｔ００２１．ｊｐｇ」に関連付けられた状態で生成される。この関連付け情報は、静止画像ファイル「Ｐｉｃｔ００２１．ｊｐｇ」のタグ情報ＴＧ内にデジタルカメラ１によって記録される。具体的には、関連ファイルの名称として「Ｐｉｃｔ００３２．ｗａｖ」が記述されることによって、両ファイルの関連付けが行われる。
【０１４４】
なお、アフレコによる音声ファイルとボイスメモによる音声ファイルとは次の点で相違する。すなわち、前者が撮影画像の再生時点で生成されるのに対して、後者が画像の撮影時点で生成される点で相違する。
【０１４５】
また、再生モードの表示画面（より詳細には状態ＳＴ２１，ＳＴ２２（図１１参照）などでの表示画面）においては、各種のファイルは図１８に示すような状態で、再生画像として表示される。図１８は、各種ファイルの再生時の画面を示す図である。なお、アルバム再生モードにおいても、各ファイルの種類に応じて、図１８と同様の表示画面が、アルバム画像として表示される。
【０１４６】
具体的には、音声ファイルと関連付けられていない静止画像ファイルは、音声との関連付けを示すマークが付与されることなくＬＣＤ５においてそのまま表示される。
【０１４７】
また、音声ファイルと関連付けられている静止画像ファイル（たとえば、「アフレコ」が施された静止画像ファイル、あるいは「ボイスメモ」のモードで撮影された静止画像ファイル）は、音声データであることを想起させるマークＭＫ２がその静止画像に付与された状態でＬＣＤ５に表示される。これにより、音声に関連付けられた画像であることが明示される。なお、その後の実行ボタン８ａの押下に応答して音声データの再生動作が開始される。
【０１４８】
さらに、他の画像ファイルに関連付けられていない音声ファイル（たとえば、「ボイスレコーディング」のモードで録音された音声ファイル）については、画像を伴うことなく、撮影画像に関連付けられていない音声データであることを明示するマークＭＫ３がＬＣＤ５に表示される。なお、実行ボタン８ａの押下に応答して音声データの再生動作が開始される。
【０１４９】
また、動画像ファイルについては、最初はその先頭フレームが表示される。そして、実行ボタン８ａの押下に応答して動画像の再生動作が開始される。
【０１５０】
以上がデータファイルの概要である。
【０１５１】
つぎに、各種のデータファイルのアルバム登録作業について説明する。全体の流れは、図１２を参照して上述した通りである。再生モードの状態ＳＴ２２において、撮影画像フォルダ内の少なくとも１つの種類の少なくとも１つのファイルがアルバム登録の対象ファイルとして指定されると、上述したような流れでアルバム登録動作が実行される。
【０１５２】
ただし、上記においては、図１３を参照しつつ、登録処理の対象ファイルが静止画像ファイルであることを前提に説明を行ったが、ここでは、より一般的なアルバムファイル作成処理（ステップＳＰ５４，ＳＰ６４）について、図１９および図２０を参照しつつ説明する。図１９および図２０のアルバムファイル作成処理は、静止画像以外のファイル、具体的には図１８に示すような複数の種類のファイルのそれぞれに対しても適用可能である。
【０１５３】
まず、ステップＳＰ８１においては、アルバム登録対象のファイルが動画像ファイル（単に動画ファイルとも称する）であるか否かが判定される。登録対象ファイルが動画ファイルである場合にはステップＳＰ１０１に進み、登録対象ファイルが動画ファイルでない場合（詳細には、登録対象ファイルが静止画像ファイルまたは音声ファイルの場合）にはステップＳＰ８２に進む。
【０１５４】
ステップＳＰ８２に進むと、さらに登録対象が音声のみのファイルであるか否かが判定される。登録対象が音声のみのファイルである場合（すなわち、「ボイスレコーディング」による音声ファイルの場合）にはステップＳＰ９６に進み、登録対象が音声のみのファイルでない場合（すなわち、音声データに関連付けられた静止画像データである場合）にはステップＳＰ８３に進む。
【０１５５】
登録対象の撮影画像ファイルが単なる静止画像ファイルの場合には、ステップＳＰ８３，ＳＰ８４，ＳＰ８５を経た後、その撮影画像に関連付けられた音声が存在しないとステップＳＰ８６で判定されて、さらにステップＳＰ８７，ＳＰ８８を経てステップＳＰ８９に進む。
【０１５６】
ここで、ステップＳＰ８３，ＳＰ８４，ＳＰ８５，ＳＰ８７，ＳＰ８８の各処理は、それぞれ、上述のステップＳＰ７１，ＳＰ７２，ＳＰ７３，ＳＰ７４，ＳＰ７５の各処理と同様である。また、ステップＳＰ８９では、アルバム情報ファイル（「Ａｌｂｕｍ．ｉｎｆ」）が更新される。
【０１５７】
一方、登録対象の撮影画像ファイルが、関連する音声ファイルを有する場合には、ステップＳＰ８３，ＳＰ８４，ＳＰ８５を経た後、その撮影画像に関連付けられた音声が存在するとステップＳＰ８６で判定され、さらにステップＳＰ９１，ＳＰ９２，ＳＰ９３，ＳＰ９４，ＳＰ９５を経て撮影画像ファイルおよび音声ファイルの双方をアルバム登録した後に、ステップＳＰ８９に進む。ステップＳＰ８９では、アルバム情報ファイル（「Ａｌｂｕｍ．ｉｎｆ」）が更新される。
【０１５８】
たとえば、「アフレコ」作業を行った静止画像ファイル「Ｐｉｃｔ００２１．ｊｐｇ」をアルバム登録する場合について説明する。なお、この静止画像ファイル「Ｐｉｃｔ００２１．ｊｐｇ」には、「アフレコ」作業によって音声ファイル「Ｐｉｃｔ００３２．ｗａｖ」が関連付けられている（図１６参照）。また、図２１はステップＳＰ８９における更新後のアルバム情報ファイルの内容を示す図である。
【０１５９】
この場合、まずステップＳＰ９１において、新規アルバム音声ファイルのファイル名が決定される。より詳細には、新規アルバム音声ファイルに対して、ステップＳＰ８５で決定された新規アルバム画像ファイルの名称と同一の名称（ただし拡張子部分を除く）が付与されることが決定される。たとえば、静止画像ファイル「Ｐｉｃｔ００２１．ｊｐｇ」のアルバム登録ファイルに対して「Ａｌｂｍ０１０１．ｊｐｇ」という名称が付与される場合には、音声ファイル「Ｐｉｃｔ００３２．ｗａｖ」のアルバム登録ファイルに対して「Ａｌｂｍ０１０１．ｗａｖ」という名称が付与される。このように、新規アルバム画像ファイルと新規アルバム音声ファイルとは、先頭の８文字（最初の「Ａｌｂｍ」の４文字およびそれに続くシリアル番号を示す４文字）は同一である。したがって、関連性を識別しやすい。
【０１６０】
次のステップＳＰ９２においては、新規アルバム画像ファイルのタグ情報として、当該新規アルバム画像ファイルに関連する新規アルバム音声ファイル名を記録する。たとえば、新規アルバム画像ファイル「Ａｌｂｍ０１０１．ｊｐｇ」のタグ情報に、新規アルバム音声ファイル「Ａｌｂｍ０１０１．ｗａｖ」に対する関連付け情報が記述される。この関連付け情報によっても、両ファイルの関連性を認識できる。
【０１６１】
そして、ステップＳＰ９３においては、実際にアルバム画像ファイルがアルバムフォルダ内に新規に作成され、その新規のアルバム画像ファイルに読み取り専用の属性が付与される。また、ステップＳＰ９４では、実際にアルバム音声ファイルをアルバムフォルダ内に新規に作成する。新規のアルバム音声ファイルは、ファイル「Ａｌｂｍ０１０１．ｗａｖ」をコピー（複製）して作成され、そのファイル名称として、ステップＳＰ９１で決定された名称が付与される。そして、ステップＳＰ９５においては、アルバム音声ファイルに対しても読み取り専用属性が付与される。
【０１６２】
また、登録対象のファイルが、「ボイスレコーディング」により得られた音声データである場合には、ステップＳＰ８２からステップＳＰ９６に進み、ステップＳＰ９４，ＳＰ９５を経て「ボイスレコーディング」による音声ファイルが単独でアルバム登録される。また、アルバム登録における登録内容は、アルバム情報ファイル（「Ａｌｂｕｍ．ｉｎｆ」）に記述される（ステップＳＰ８９）。
【０１６３】
具体的には、ステップＳＰ９６においては、新規アルバム音声ファイルの名称が決定される。具体的には、アルバムファイルであることを示す４文字「Ａｌｂｍ」の後に、４文字のシリアル番号を付加することによって決定される。シリアル番号は、アルバム情報ファイルに記載されたアルバムファイルの最後尾のシリアル番号に１を足した値として決定される。また、ファイルの拡張子としては、音声ファイルであることを示す「ｗａｖ」が付与される。その後、ステップＳＰ９６で決定された名称新規のアルバム音声ファイルがアルバムフォルダ内に実際に作成され（ステップＳＰ９４）、そのアルバム音声ファイルに対して読み取り専用属性が付与される（ステップＳＰ９５）。その後、ステップＳＰ８９で、アルバム情報ファイル（「Ａｌｂｕｍ．ｉｎｆ」）が例えば図２２のように更新される。図２２は、音声ファイル「Ｐｉｃｔ００１２．ｗａｖ」のコピーファイルが、アルバム音声ファイル「Ａｌｂｍ０１０１．ｗａｖ」としてアルバムフォルダ内に作成されたときのアルバム情報ファイルの一部を示している。
【０１６４】
また、登録対象のファイルが動画像である場合には、ステップＳＰ８１からステップＳＰ１０１に進む。ステップＳＰ１０１では、アルバム登録ファイルとして、動画像の先頭フレームのみをアルバム登録する旨と動画像の全フレームをアルバム登録する旨とのうちのいずれの選択肢が選択されているかが判定される。
【０１６５】
デジタルカメラ１においては、このような設定に関する選択操作を、図２３に示すような画面を用いてあらかじめ行っておくことが可能である。この画面は、状態ＳＴ１１，ＳＴ２１，ＳＴ３１で項目「カメラのセットアップ」を選択して表示されるメニュー画面において、さらに「動画ファイルのアルバム登録」という項目を選択することによってＬＣＤ５に表示される。そして、この画面内の「先頭フレームのみ」および「全フレーム」のうちの所望の選択肢を上下方向のキー７ａ，７ｂおよび実行ボタン８ａを用いて選択することによって、所望の設定状態とすることができる。
【０１６６】
ステップＳＰ１０１において、動画像の先頭フレームのみをアルバム登録する旨が設定されていると判定される場合には、動画像の先頭フレームのみを切り出して（ステップＳＰ１０２）、さらにステップＳＰ８４に進む。その後、ステップＳＰ８５，ＳＰ８６，ＳＰ８７，ＳＰ８８を経由して、動画像の先頭フレームである静止画像が、アルバムフォルダ内にアルバムファイルとして登録される。その後、ステップＳＰ８９で、アルバム情報ファイル（「Ａｌｂｕｍ．ｉｎｆ」）が例えば図２４のように更新される。図２４は、動画像ファイル「Ｐｉｃｔ００１３．ａｖｉ」の先頭フレームの静止画像のコピーファイルが、アルバム画像ファイル「Ａｌｂｍ０１０１．ｊｐｇ」としてアルバムフォルダ内に作成されたときのアルバム情報ファイルの一部を示す図である。
【０１６７】
一方、ステップＳＰ１０１において、動画像の全フレームをアルバム登録する旨が設定されていると判定される場合には、動画像ファイル自体をアルバム登録する。
【０１６８】
具体的には、デジタルカメラ１は、新規アルバムファイルのファイル名を決定する（ステップＳＰ１０３）。詳細には、アルバム情報ファイルを参照して、既存のアルバムファイルのシリアル番号のうち最も大きな番号を１つインクリメントした値をシリアル番号とするファイル名を決定する。そして、登録対象の動画像ファイルをアルバムフォルダ内にコピーしてアルバム動画ファイルを作成する（ステップＳＰ１０４）。新規のアルバム動画ファイルには、ステップＳＰ１０３で決定された名称が付与される。そして、そのアルバム動画ファイルのファイル属性が読み取り専用に設定される（ステップＳＰ１０５）。その後、ステップＳＰ８９で、アルバム情報ファイル（「Ａｌｂｕｍ．ｉｎｆ」）が例えば図２５のように更新される。
【０１６９】
図２５は、動画像ファイル「Ｐｉｃｔ００１３．ａｖｉ」自体のコピーファイルが、アルバム動画ファイル「Ａｌｂｍ０１０１．ａｖｉ」としてアルバムフォルダ内に作成されたときのアルバム情報ファイルの一部を示す図である。
【０１７０】
このように、様々な種類のファイルをアルバム登録することが可能である。
【０１７１】
以上のように、デジタルカメラ１は、撮影によって得られる撮影画像を撮影動作に伴って撮影画像フォルダに格納するように構成される。そして、操作者が気に入った撮影画像を保存しておくために所定の操作を行った場合には、撮影画像フォルダに格納された撮影ファイルに対応するアルバムファイルが、撮影画像フォルダとは異なる領域のアルバムフォルダに格納されるようになっている。
【０１７２】
また、この実施形態においては、音声ファイルに関連付けられた画像ファイル（例えば、「ボイスメモ」で撮影された画像ファイル）を、アルバム登録の対象として指定すると、その画像ファイルだけでなく、その画像ファイルに関連付けられた音声ファイルもアルバムファイルとして登録される。したがって、音声ファイルを別個に登録する操作を要することなく、画像ファイルおよび音声ファイルの両ファイルをアルバム登録することが可能である。すなわち、操作が簡易である。このように、他のファイルに関連付けがなされているファイル（例えばボイスメモの画像ファイル）が一括登録の対象とされているときには、当該他のファイル（例えばボイスメモの音声ファイル）に基づくファイルもアルバムファイルとして作成されるので、アルバム登録操作が簡易である。
【０１７３】
また、一括登録時においても、画像ファイルに基づくアルバムファイルが作成されるだけでなく、その画像にファイルに関連付けられた音声データ等のファイルに基づくアルバムファイルも作成される。したがって、関連付けがなされているファイルをも含め漏れなく確実にアルバム登録することができる。特に、上記のような一括登録操作によって所定フォルダ内の全てのファイルをアルバム登録する場合には、関連付けられたデータファイルをも含め、所定フォルダ内の全てのファイルを簡易にアルバム登録することが可能である。
【０１７４】
さらに、アルバムファイルの関連付け情報は、アルバム情報ファイルで一括管理されている。具体的には、アルバム情報ファイルは、互いに関連付けがなされたファイルに対応するアルバムファイル相互間の関連付け情報を有しており、全体制御部５０は、このアルバム情報ファイルを用いて、関連付け情報を管理している。このように、アルバムファイル相互間の関連付け情報はアルバム情報ファイルを用いて一括管理されているので、関連付け情報をアルバムファイル単位のみで管理する場合に比べて一覧性が高く管理が容易である。
【０１７５】
また、図２３において動画像の先頭フレームのみをアルバム登録する旨が選択されている場合には、その動画像ファイルの特定のフレーム（ここでは先頭フレーム）に対応する静止画像ファイルが、その動画像ファイルに対応するアルバムファイルとして作成される。この場合、当該動画像ファイルの全体がアルバムファイルとしてアルバム登録される場合に比べて、ファイル容量（データサイズ）を抑制することができる。
【０１７６】
＜ＤＰＯＦ＞
つぎに、デジタルカメラ１におけるプリント指定動作について説明する。
【０１７７】
このデジタルカメラ１は、ＤＰＯＦ（Ｄｉｇｉｔａｌ  Ｐｒｉｎｔ  Ｏｒｄｅｒ  Ｆｏｒｍａｔ）に対応している。操作者は、次述するような操作で印刷対象の画像をプリント指定しておけば、その情報が入ったメモリカード９０をＤＰＯＦ対応のプリント店（プリントラボ）に渡すこと、あるいは、ＤＰＯＦ対応のプリンタを用いることなどによって、指定通りのプリント出力を得ることができる。
【０１７８】
このデジタルカメラ１によれば、撮影画像だけでなく、アルバム画像をもプリント指定することができる。
【０１７９】
図２６および図２７は、プリント指定操作を示す状態遷移図である。図２６は撮影画像に対するプリント指定操作を示す図であり、図２７はアルバム画像に対するプリント指定操作を示す図である。以下では、アルバム画像に対するプリント指定操作を中心に説明するが、撮影画像に対するプリント指定操作も同様である。
【０１８０】
図２７に示すように、アルバム再生モードの初期状態ＳＴ３０においてメニューボタン８ｂが押下されるとデジタルカメラ１は状態ＳＴ３１に移行する。その後、操作者が、「アルバム再生メニュー」内の複数の項目の中からキー７ａまたは７ｂを用いて「プリント指定」を選択し、実行ボタン８ａを押下することで状態ＳＴ３５に移行する。なお、状態ＳＴ３５でメニューボタン８ｂを押下すると状態ＳＴ３１に戻る。
【０１８１】
状態ＳＴ３５は、アルバム画像のプリント指定画面を行うことが可能な状態であり、アルバム画像のプリント指定を行うための「プリント指定画面」がＬＣＤ５に表示される。図２７の右側には、この指定画面が表示されている。状態ＳＴ３５においては、再生中のアルバム画像が背景画像として表示されたまま、プリント指定画面における選択項目がオーバーレイ表示される。また、状態ＳＴ３５においては、最初に、直近に登録されたアルバム画像等がＬＣＤ５に表示される。そして、左右方向のキー７ｃまたは７ｄを押下するごとに、ＬＣＤ５での表示対象ファイルが前方向あるいは後方向に順次に変更される。このような操作によって、プリント指定対象のアルバムファイルを選択することができる。なお、音声ファイルのアルバムファイルに対してはプリント指定が禁止される。具体的には、メニュー画面Ｇ３１において、音声ファイル（たとえば、「ボイスレコーディング」により取得された音声ファイル）に対する「プリント指定」の項目は、選択できないようになっている。
【０１８２】
このプリント指定画面の上側においては、「この画像を指定」、「一括指定」、および「この画像を解除」の３つの項目が表示されている。
【０１８３】
最初の項目「この画像を指定」は、画像を１枚ずつプリント指定することを指示するためのコマンドである。
【０１８４】
次の項目「一括指定」は、アルバムフォルダ（「ＡＬＢＵＭ」（図４参照））内の全てのアルバム画像を一括してプリント指定することを指示するためのコマンドである。この「一括指定」によれば、アルバムフォルダ内のアルバム画像の全てを一括してプリント指定することが可能である。アルバム画像は、気に入った画像として登録されたものであるが故に、全部のアルバム画像をプリントしたいというニーズが高いと想定される。この「一括指定」操作によって、このようなニーズに対応すれば、より簡易な操作で全てのアルバム画像をプリント指定することが可能になるので、操作性が高い。
【０１８５】
また、最後の項目「この画像を解除」は、当該画像のプリント指定の解除を指示するためのコマンドである。
【０１８６】
操作者は、これら３つの選択項目の中から、所望の項目を選択できる。
【０１８７】
また、このプリント指定画面の下側においては、「インデックスプリントする」および「インデックスプリントしない」の２つの項目が表示されている。操作者は、２つの項目のうちのいずれかを選択することによって、アルバム画像のインデックスプリント（一覧印刷）をするかしないかを指定することができる。
【０１８８】
その後、このメニュー画面で、所望の項目が選択された後に実行ボタン８ａが押下されると、デジタルカメラ１はプリント指定ファイルを更新する。プリント指定ファイルは、プリント指定内容を規定するファイルである。プリント指定ファイルの内容については、後に詳述する。
【０１８９】
プリント指定ファイル更新後、状態ＳＴ３１に戻る。このとき、図２８に示すように、ＬＣＤ５の画面Ｇ３１の一部において、マークＭＫ７が表示された状態に切り換えられ、表示対象となっているアルバムファイルに対するプリント指定が設定されたことを視覚的に把握できるようになっている。なお、状態ＳＴ３０，ＳＴ３５などにおいても同様にマークＭＫ７が表示され、表示対象のアルバムファイルがプリント指定されたものであることが明示される。
【０１９０】
上述したように、撮影画像についても、同様の動作によって、プリント指定を行うことができる。また、同様に、撮影画像のインデックスプリントの有無を指定すること（言い換えれば、撮影画像をインデックスプリントの対象とすること）も可能である。
【０１９１】
図２９は、メモリカード９０内の各ファイルに対するプリント指定状況を示す図であり、上記のプリント指定動作によってプリント指定が設定された状態の一例を示している。
【０１９２】
図２９においては、撮影画像フォルダには、「Ｐｉｃｔ０００５．ｊｐｇ」，「Ｐｉｃｔ０００６ｊｐｇ」，「Ｐｉｃｔ０００７．ｊｐｇ」を含む複数のファイルが格納されている。そして、「Ｐｉｃｔ０００５．ｊｐｇ」，「Ｐｉｃｔ０００７．ｊｐｇ」などに対してはプリント指定が設定されており、「Ｐｉｃｔ０００６ｊｐｇ」に対してはプリント指定が設定されていない。また、アルバムフォルダには、「Ａｌｂｍ０００３．ｊｐｇ」，「Ａｌｂｍ０００４．ｊｐｇ」を含む複数のファイルが格納されており、フォルダ内の全てのアルバムファイルに対してプリント指定が設定されている。なお、ここでは、「Ｐｉｃｔ０００１．ｊｐｇ」〜「Ｐｉｃｔ０００４．ｊｐｇ」，「Ａｌｂｍ０００１．ｊｐｇ」，「Ａｌｂｍ０００２．ｊｐｇ」の各ファイルはメモリカード９０から削除されている。
【０１９３】
また、プリント指定に関する情報は、プリント指定ファイル「ＡＵＴＰＲＩＮＴ．ＭＡＫ」に出力され、同ファイルに記述される。このプリント指定ファイル「ＡＵＴＰＲＩＮＴ．ＭＡＫ」は、メモリカード９０内のルートフォルダの下のプリント指定フォルダ（「ＭＩＳＣ」）の中に保存される。
【０１９４】
後述するように、このプリント指定に関する情報に基づいて、撮影画像およびアルバム画像に対するプリントが出力される。具体的には、「Ｐｉｃｔ０００５．ｊｐｇ」，「Ｐｉｃｔ０００７．ｊｐｇ」などの撮影画像を含む撮影画像プリント群と、「Ａｌｂｍ０００３．ｊｐｇ」，「Ａｌｂｍ０００４．ｊｐｇ」などのアルバム画像を含むアルバム画像プリント群とがプリント出力されることになる。
【０１９５】
また、このプリント指定ファイルには、インデックスプリントに関する情報も記述される。この情報は、撮影画像およびアルバム画像についてのインデックスプリントの有無に関する上述の指定操作などに応じて決定されるものである。そして、このプリント指定ファイルの内容に応じて、撮影画像および／またはアルバム画像のインデックスプリントが併せてプリント出力される。ここでは、アルバム画像と撮影画像との両方がインデックスプリントの対象として指定されている場合を想定する。
【０１９６】
さらに、このデジタルカメラ１においては、インデックスプリントの出力形態を２つの選択肢の中から選択することができる。選択結果は、プリント指定ファイルにおける、インデックスプリントに関する情報に反映される。
【０１９７】
図３０は、インデックスプリントの出力形態を設定する動作を説明する状態遷移図である。状態ＳＴ２１，ＳＴ３１などのメニュー画面において、「カメラのセットアップ」の項目が選択されると、状態ＳＴ５１に移行する。そして、状態ＳＴ５１での画面Ｇ５１において、「インデックスプリントの設定」の項目が選択されると、状態ＳＴ５２に移行する。
【０１９８】
状態ＳＴ５２では、「インデックスプリントの設定」を行うための画面Ｇ５２がＬＣＤ５に表示される。この画面Ｇ５２においては、２つの選択肢、すなわち、撮影画像およびアルバム画像の両画像を「区別する」旨の選択肢と、両画像を「区別しない」旨の選択肢である。
【０１９９】
両選択肢のいずれかを選択することによって、インデックスプリントの出力形態を指定することが可能である。
【０２００】
前者の「区別する」を指定すると図３１に示すような出力形態となり、後者の「区別しない」を指定すると図３２に示すような出力形態となる。なお、いずれの出力形態の場合においても、上述のプリント指定情報にしたがって、「Ｐｉｃｔ０００５．ｊｐｇ」，「Ｐｉｃｔ０００７．ｊｐｇ」を含む撮影画像プリント群ＰＴ１０と、「Ａｌｂｍ０００３．ｊｐｇ」，「Ａｌｂｍ０００４．ｊｐｇ」を含むアルバム画像プリント群ＰＴ２０とがプリント出力される。なお、各プリント群ＰＴ１０において、撮影画像のプリント（印刷物）は、それぞれ、個別の用紙に（互いに異なる用紙に）出力される。同様に、各プリント群ＰＴ２０において、アルバム画像のプリント（印刷物）は、それぞれ、個別の用紙に（互いに異なる用紙に）出力される。また、プリント指定が設定されていなかった「Ｐｉｃｔ０００６ｊｐｇ」は、プリント出力されない。
【０２０１】
図３１は、撮影画像についてのインデックスプリントとアルバム画像についてのインデックスプリントとが、異なる用紙に区別して出力されている状態を示している。
【０２０２】
具体的には、インデックスプリントＩＰ４０は、複数のプリントＩＰ４１，ＩＰ４２，．．．で構成される。そして、撮影画像についてのインデックスプリントはプリントＩＰ４１に出力され、アルバム画像についてのインデックスプリントは次のプリントＩＰ４２以降に出力されている。
【０２０３】
各プリントＩＰ４１，ＩＰ４２，．．．のそれぞれにおいては、最大で９枚のインデックス用画像が配置可能である。そして、最初のプリントＩＰ４１において、８枚の撮影画像についてのインデックス用画像を含むインデックスプリントが出力される。プリントＩＰ４１には、１枚分のインデックス用画像のスペースが残っているが、この残りのスペースには、アルバム画像のインデックスプリント（より詳細には、アルバム画像のインデックス用画像）は意図的に出力されない。
【０２０４】
そして、アルバム画像のインデックスプリントは、改められた用紙、すなわち、２枚目のプリントＩＰ４２以降に出力される。具体的には、最初のアルバム画像（「Ａｌｂｍ０００３．ｊｐｇ」）のインデックスプリントが、プリントＩＰ４２の先頭部分に出力され、その後２枚目以降のアルバム画像のインデックス用画像がプリントＩＰ４２の残りのスペース、および次の用紙に引き続いて出力される。
【０２０５】
このように、撮影画像およびアルバム画像の両画像についてのインデックス用画像が異なる用紙に区別して出力される。
【０２０６】
また、撮影画像プリント群ＰＴ１０およびアルバム画像プリント群ＰＴ２０は、このインデックスプリントＩＰ４０に引き続いてさらに出力される。言い換えれば、４種類のプリントが、次の順序、すなわち、撮影画像についてのインデックスプリントＩＰ１０、アルバム画像についてのインデックスプリントＩＰ２０、撮影画像プリント群ＰＴ１０、アルバム画像プリント群ＰＴ２０の順序で出力される。そして、最初の２種類のインデックスプリントは互いに区別され、撮影画像に関するインデックスプリントＩＰ１０はプリントＩＰ４１として出力され、アルバム画像に関するインデックスプリントＩＰ２０はプリントＩＰ４２，．．．として出力される。
【０２０７】
一方、図３２は、撮影画像についてのインデックスプリントとアルバム画像についてのインデックスプリントとが区別されることなく連続して印刷出力される状態を示している。
【０２０８】
具体的には、インデックスプリントＩＰ５０を構成するプリントＩＰ５１，ＩＰ５２，．．．において、撮影画像についてのインデックスプリントとアルバム画像についてのインデックスプリントとが互いに区別されることなく連続的に出力されている。
【０２０９】
各プリントＩＰ５１，ＩＰ５２，．．．のそれぞれにおいては、最大で９枚のインデックス用画像が配置可能である。そして、最初のプリントＩＰ５１において、８枚の撮影画像についてのインデックス用画像を含むインデックスプリントが出力されるとともに、残りのインデックス用画像のスペースに１枚目のアルバム画像（「Ａｌｂｍ０００３．ｊｐｇ」）のインデックス用画像が、プリントＩＰ５１内の９つめのインデックス用画像として、引き続いて出力されている。そして、次のプリントＩＰ５２において、２枚目のアルバム画像「Ａｌｂｍ０００４．ｊｐｇ」のインデックス用画像、および３枚目以降のアルバム画像のインデックス用画像がさらに引き続いて出力されている。このように、撮影画像についてのインデックス用画像とアルバム画像についてのインデックス用画像とが、一体化された１つのインデックスプリントＩＰ５０として連続して出力されている。
【０２１０】
また、撮影画像プリント群ＰＴ１０およびアルバム画像プリント群ＰＴ２０は、このインデックスプリントＩＰ５０に引き続いてさらに出力される。言い換えれば、４種類のプリントが、次の順序、すなわち、撮影画像についてのインデックスプリント、アルバム画像についてのインデックスプリント、撮影画像プリント群ＰＴ１０、アルバム画像プリント群ＰＴ２０の順序で出力される。そして、最初の２種類のインデックスプリントは、互いに区別されることなく、１つのインデックスプリントＩＰ５０としてまとめて出力されるのである。
【０２１１】
つぎに、図３３および図３４を参照しながら、プリント指定ファイルの詳細について説明する。
【０２１２】
図３３は、両種類の画像を区別するインデックスプリント（図３１参照）を出力するためのプリント指定ファイル（「ＡＵＴＰＲＩＮＴ．ＭＡＫ」）の内容を示す図である。
【０２１３】
このプリント指定ファイルは、ファイルのヘッダ部分ＨＲと、インデックスプリントの指定部分ＰＤ１と、プリントジョブの指定部分ＰＥとを有している。
【０２１４】
部分ＰＤ１には、インデックスプリントＩＰ４０を出力するジョブＪＤ１（図３１）の内容が規定されている。
【０２１５】
具体的には、部分ＰＤ１には、撮影画像に対するインデックスプリントの指定部分ＰＤ４１とアルバム画像に対するインデックスプリントの指定部分ＰＤ４２とが区別されて記述されている。部分ＰＤ４１においては、プリントタイプとして「インデックスプリント」が指定されるとともに、インデックスプリントの対象となる各撮影画像のファイルのファイル名「Ｐｉｃｔ０００５．ｊｐｇ」，「Ｐｉｃｔ０００７．ｊｐｇ」，．．．がそのファイルのパス名とともに指定されている。また、インデックスプリントの出力枚数が１枚であることも併せて指定されている。部分ＰＤ４２においても同様であり、インデックスプリントの対象となる各アルバム画像のファイルのファイル名「Ａｌｂｍ０００３．ｊｐｇ」，「Ａｌｂｍ０００４．ｊｐｇ」，．．．がそのファイルのパス名とともに指定されている。なお、このプリント指定ファイルにおいては、所定の区切り記号とその次の区切り記号との間に挟まれた部分において、１単位の処理内容が記述されている。
【０２１６】
そして、部分ＰＤ４１の指定内容に応じて、撮影画像に対するインデックスプリントＩＰ４１が出力され、部分ＰＤ４２の指定内容に応じて、撮影画像に対するインデックスプリントＩＰ４２が出力される。
【０２１７】
また、部分ＰＥには、撮影画像およびアルバム画像を出力するジョブＪＥの内容が規定されている。
【０２１８】
具体的には、部分ＰＥには、各撮影画像および各アルバム画像に対する通常のプリント出力を指定する内容が記述されている。部分ＰＥ１０には、複数の撮影画像に対するプリント指定が区切り記号で区切られて記述されており、部分ＰＥ２０には、複数のアルバム画像に対するプリント指定が区切り記号で区切られて記述されている。また、それぞれの画像についての記述部分には、プリントタイプとして「通常」のプリントであることが指定されるとともに、プリントの対象となる各撮影画像のファイルのファイル名「Ｐｉｃｔ０００５．ｊｐｇ」，「Ｐｉｃｔ０００７．ｊｐｇ」，．．．，「Ａｌｂｍ０００３．ｊｐｇ」，「Ａｌｂｍ０００４．ｊｐｇ」，．．．がそのファイルのパス名とともに指定されている。また、各プリントの出力枚数が１枚であることも併せて指定されている。
【０２１９】
そして、部分ＰＥ１０内の各指定内容に応じて撮影画像のプリント群ＰＴ１０が出力され、部分ＰＥ２０内の各指定内容に応じてアルバム画像のプリント群ＰＴ２０が出力される。
【０２２０】
一方、図３４は、後者、すなわち両種類の画像の区別を伴わないインデックスプリント（図３２参照）を出力するためのプリント指定ファイル（「ＡＵＴＰＲＩＮＴ．ＭＡＫ」）の内容を示す図である。
【０２２１】
このプリント指定ファイルは、図３３と同様の構造を有しており、具体的には、ファイルのヘッダ部分ＨＲと、インデックスプリントの指定部分ＰＤ２と、プリントジョブの指定部分ＰＥとを有している。インデックスプリントの指定部分ＰＤ２以外は、図３３のプリント指定ファイルと同一である。
【０２２２】
以下では、図３３との相違点、すなわち、部分ＰＤ２について説明する。
【０２２３】
部分ＰＤ２には、インデックスプリントＩＰ５０を出力するジョブＪＤ２（図３２）の内容が規定されている。
【０２２４】
具体的には、部分ＰＤ２（ＰＤ５０）には、撮影画像に対するインデックスプリントの指定部分とアルバム画像に対するインデックスプリントの指定部分とが区別されずに記述されている。言い換えれば、２つの区切り記号の間に挟まれた１つの単位処理の中に、両画像に対するインデックスプリントの指定部分が記述されている。
【０２２５】
この部分ＰＤ５０においては、プリントタイプとして「インデックスプリント」が指定されるとともに、インデックスプリントの対象となる各撮影画像のファイルのファイル名「Ｐｉｃｔ０００５．ｊｐｇ」，「Ｐｉｃｔ０００７．ｊｐｇ」，．．．，「Ａｌｂｍ０００３．ｊｐｇ」，「Ａｌｂｍ０００４．ｊｐｇ」，．．．がそのファイルのパス名とともに指定されている。また、インデックスプリントの出力枚数が１枚であることも併せて指定されている。この部分ＰＤ５０においては、撮影画像とアルバム画像とが区切り記号等によって区別されておらず、これら全ての画像が１つのインデックスプリントとして出力されることが指定されている。
【０２２６】
この部分ＰＤ５０の指定内容に応じて、撮影画像に対するインデックスプリントと撮影画像に対するインデックスプリントとが区別されることなく、１つのインデックスプリントＩＰ５０として出力される。
【０２２７】
以上のように、このデジタルカメラ１によれば、アルバム画像に対するプリント指定を行うことが可能であるので、アルバム画像の印刷出力に関する利便性を向上させることができる。
【０２２８】
また、アルバム画像のインデックスプリントをプリントすることを指定できるので、便利である。具体的には、操作者は、アルバム画像のインデックスプリント（一覧印刷）を見ることによって、類似の画像を削除するなどのアルバム画像の整理作業を容易に行うことが可能である。
【０２２９】
さらに、アルバム画像と撮影画像との両方がインデックスプリントの対象として指定されている場合において、インデックスプリントの方式として、アルバム画像のインデックスプリントと撮影画像のインデックスプリントとを区別して（両インデックスプリントを異なる用紙に）印刷する方式（図３１，図３５（後述）を参照）を指定可能である。この方式によれば、撮影画像のインデックスプリント（ＩＰ１０）とアルバム画像のインデックスプリント（ＩＰ２０）とを容易に区別することができる。
【０２３０】
また、アルバム画像と撮影画像との両方がインデックスプリントの対象として指定されている場合において、インデックスプリントの方式として、両画像のインデックスプリントを（区別することなく）連続的に印刷する方式（図３２参照）を指定することも可能である。この方式によれば、プリント指定の対象となっている画像の一覧をより効率的に出力することができる。たとえば、撮影画像およびアルバム画像を含む全プリント画像を単純に一覧したい場合には、撮影画像およびアルバム画像の両画像の区別をつける必要性がない。そして、そのような場合、図３２に示すようなインデックスプリントによれば、プリントＩＰ５１の最後の（９つ目の）インデックス用画像の配置スペースを空けることなく、（撮影画像のインデックス用画像に引き続いて）次のアルバム画像のインデックス用画像が当該配置スペースに連続的に配置されるので、用紙の無駄を抑制することができる。また、図３１の場合には、インデックスプリントにおける空きスペースは、撮影画像のインデックスプリントの終了を意味する場合と、アルバム画像のインデックスプリントの終了を意味する場合との両方が考えられるが、図３２の場合には、インデックスプリントの空きスペースは、全画像についてのインデックスプリントの終了を示す。したがって、図３２の出力形態によれば、インデックスプリントの空きスペースの存在によって、インデックスプリントの終了を即時に把握できる。
【０２３１】
＜変形例など＞
以上、この発明の実施の形態について説明したが、この発明は上記説明した内容のものに限定されるものではない。
【０２３２】
たとえば、上記のような出力形態は、一例であり、これに限定されない。たとえば、撮影画像およびアルバム画像の両画像についてのインデックスプリントを「区別する」出力形態として、次のような出力形態を採用してもよい。
【０２３３】
図３５は、変形例に係る出力形態を示す図であり、図３６は、この変形例に係る出力形態を指定するためのプリント指定ファイルの内容を示す図である。
【０２３４】
図３５の出力形態においては、撮影画像についてのインデックスプリントＩＰ１０とアルバム画像についてのインデックスプリントＩＰ２０とが別の用紙に区別して出力されている。そして、撮影画像用のインデックスプリントＩＰ１０は、撮影画像プリント群ＰＴ１０の直前に出力されており、アルバム画像用のインデックスプリントＩＰ２０は、アルバム画像プリント群ＰＴ２０の直前に出力されている。言い換えれば、これら４種類のプリントが、次の順序、すなわち、撮影画像についてのインデックスプリントＩＰ１０、撮影画像プリント群ＰＴ１０、アルバム画像についてのインデックスプリントＩＰ２０、アルバム画像プリント群ＰＴ２０の順序で出力される。
【０２３５】
この結果、アルバム画像用のインデックスプリントＩＰ２０は、撮影画像プリント群ＰＴ１０とアルバム画像プリント群ＰＴ２０との間に位置することになり、撮影画像プリント群ＰＴ１０とアルバム画像プリント群ＰＴ２０とを互いに区別する役割をも果たしている。
【０２３６】
図３６は、このような変形例に用いられるプリント指定ファイル（「ＡＵＴＰＲＩＮＴ．ＭＡＫ」）の内容を示す図である。
【０２３７】
このプリント指定ファイルは、ファイルのヘッダ部分ＨＲと、撮影画像に対するプリントジョブの指定部分ＰＡと、アルバム画像に対するプリントジョブの指定部分ＰＢとを有している。
【０２３８】
撮影画像に対するプリントジョブの指定部分ＰＡは、撮影画像に対するインデックスプリントの指定部分ＰＤ４１と、撮影画像に対する通常プリントの指定部分ＰＥ１０とを有している。また、アルバム画像に対するプリントジョブの指定部分ＰＢは、アルバム画像に対するインデックスプリントの指定部分ＰＤ４２と、アルバム画像に対する通常プリントの指定部分ＰＥ２０とを有している。
【０２３９】
４つの部分ＰＤ４１，ＰＥ１０，ＰＤ４２，ＰＥ２０のそれぞれは、上述した内容と同一であるが、これら４つの部分の記載順序は、ジョブの実行順序の相違に呼応して、上述の内容と異なっている。このような順序で記載されることによって、図３５のような順序で出力される。
【０２４０】
このプリント指定ファイルによれば、撮影画像のプリント群とアルバム画像のプリント群との間に、アルバム画像用のインデックスプリントＩＰ２０を出力する旨が指定されている。言い換えれば、このプリント指定ファイルは、撮影画像プリント群ＰＴ１０とアルバム画像プリント群ＰＴ２０とが互いに区別して出力されるようにするための識別指示を含んでいるとも表現することができる。そして、このような識別指示を含むプリント指定が規定されたプリント指定ファイルによれば、撮影画像のプリント群ＰＴ１０とアルバム画像のプリント群ＰＴ２０とが互いに区別されたプリント出力結果を、容易に得ることができる。
【０２４１】
なお、このような識別指示は、このような指示内容に限定されない。たとえば、図３５とは逆にアルバム画像が撮影画像よりも先に出力される場合には、アルバム画像プリント群ＰＴ２０と撮影画像プリント群ＰＴ１０との間に、撮影画像用のインデックスプリントＩＰ１０を出力すべき旨の指示であってもよい。また、両画像を区別しないインデックスプリントＩＰ５０（図３２参照）を、アルバム画像プリント群ＰＴ２０と撮影画像プリント群ＰＴ１０との間に出力すべき旨の指示であってもよい。
【０２４２】
あるいは、撮影画像プリント群ＰＴ１０とアルバム画像プリント群ＰＴ２０との間にインデックスプリントを挿入するのではなく、撮影画像プリント群ＰＴ１０とアルバム画像プリント群ＰＴ２０との間に仕切紙（たとえば白紙）を挿入すべき旨の指示であってもよい。また、撮影画像プリント群ＰＴ１０とアルバム画像プリント群ＰＴ２０とで用紙の出力方向を９０度（ｄｅｇｒｅｅ）あるいは１８０度（ｄｅｇｒｅｅ）変更すべき旨の指示であってもよい。さらには、撮影画像プリント群ＰＴ１０とアルバム画像プリント群ＰＴ２０とで用紙のサイズを変更すべき旨の指示であってもよい。あるいは、撮影画像プリント群ＰＴ１０とアルバム画像プリント群ＰＴ２０とで用紙内でのプリント出力位置をずらすべき旨の指示であってもよい。
【０２４３】
また、上記実施形態においては、撮影画像とアルバム画像との両方がインデックスプリントの対象として指定されている場合について説明したが、これに限定されない。たとえば、撮影画像とアルバム画像との両方がプリント指定される場合においても、撮影画像のインデックスプリントを出力する一方で、アルバム画像のインデックスプリントを出力しない旨を指定することも可能である。たとえば、図３３のプリント指定ファイルにおいて、部分ＰＤ４１，ＰＥ１０，ＰＥ２０を設ける一方で、部分ＰＤ４２を設けないようにすればよい。
【０２４４】
これによれば、インデックスプリントＩＰ４０のうち、アルバム画像のインデックスプリントＩＰ４２以降（図３１参照）を出力しないようにすることができる。アルバム画像は、頻繁にプリント指定されることがある。そのため、アルバム画像のインデックスプリントが操作者の手元に既に存在するなど、アルバム画像のインデックスプリントが不要な場合もある。そのような場合には、上記のインデックスプリントの指定解除操作をアルバム画像について施しておくことによって、アルバム画像のインデックスプリントを出力しないようにすることができる。すなわち、アルバム画像のインデックスプリントを必要に応じて出力することが可能になる。
【０２４５】
さらに、上記においては静止画像ファイルについてのプリント指定について主に説明してきたが、これに限定されない。静止画像ファイルだけでなく、動画像ファイルに対してもプリント指定を許可するようにしてもよい。プリント指定を許可する場合には、たとえば、プリント指定が設定された動画像ファイルについて、その先頭フレームがプリント対象として指定されたものとして取り扱うようにすればよい。なお、動画像ファイルに対しては、プリント指定を禁止するようにしてもよい。
【０２４６】
また、上記実施形態においては、アルバム画像はメモリカード９０内に格納される場合を例示したが、これに限定されず、デジタルカメラの内蔵メモリに格納するようにしてもよい。
【０２４７】
なお、上述した具体的実施形態には以下の構成を有する発明が含まれている。
【０２４８】
（１）請求項５に記載のデジタルカメラにおいて、
前記指定手段は、前記アルバム画像のインデックスプリントおよび／または前記撮像画像のインデックスプリントの有無を指定することが可能であり、
前記識別指示は、前記撮影画像のプリント群と前記アルバム画像のプリント群との間に、前記アルバム画像のインデックスプリントおよび／または前記撮像画像のインデックスプリントを出力する指示であることを特徴とするデジタルカメラ。
【０２４９】
（２）請求項１に記載のデジタルカメラにおいて、
前記指定手段は、前記撮影画像に対するプリント指定を行うことも可能であり、前記撮影画像と前記アルバム画像との両方がプリント指定される場合において、前記撮影画像のインデックスプリントを出力し、且つ、前記アルバム画像のインデックスプリントを出力しない旨を指定することが可能であることを特徴とするデジタルカメラ。
【０２５０】
これによれば、アルバム画像のインデックスプリントを必要に応じて出力することが可能になる。
【０２５１】
（３）請求項１に記載のデジタルカメラにおいて、
前記アルバム画像だけでなく前記撮影画像もインデックスプリントの対象とされることが可能であり、
前記指定手段は、前記アルバム画像と前記撮影画像との両方をインデックスプリントの対象とする場合には、インデックスプリントの方式として、前記両画像のインデックスプリントを連続的に印刷する方式を指定可能であることを特徴とするデジタルカメラ。
【０２５２】
これによれば、プリント指定の対象となっている画像の一覧をより効率的に出力することができる。
【０２５３】
【発明の効果】
以上のように、請求項１ないし請求項５に記載の発明によれば、アルバム画像に対するプリント指定を行うことが可能であるので、アルバム画像の印刷出力に関する利便性を向上させることができる。
【０２５４】
特に、請求項２に記載の発明によれば、アルバム画像のインデックスプリントのプリント指定を行うことができるので、便利である。
【０２５５】
また、請求項３に記載の発明によれば、撮影画像のインデックスプリントとアルバム画像のインデックスプリントとを容易に区別することができる。
【０２５６】
さらに、請求項４に記載の発明によれば、より簡易な操作で、アルバム画像をプリントすることができる。
【０２５７】
また、請求項５に記載の発明によれば、撮影画像のプリント群とアルバム画像のプリント群とが互いに区別されたプリント出力結果を、容易に得ることができる。
【図面の簡単な説明】
【図１】デジタルカメラ１を正面側からみた概略斜視図である。
【図２】デジタルカメラ１を背面側からみた概略斜視図である。
【図３】デジタルカメラ１の内部構成を示す図である。
【図４】メモリカード９０内のフォルダ構成を示す図である。
【図５】各画像ファイルの構成を概念的に示す図である。
【図６】アルバム情報ファイルの内容を示す図である。
【図７】デジタルカメラ１における状態遷移図である。
【図８】撮影メニュー画面を示す図である。
【図９】再生メニュー画面を示す図である。
【図１０】アルバム再生メニュー画面を示す図である。
【図１１】再生モードにおける状態遷移を示す図である。
【図１２】アルバム登録動作の全体の流れを示すフローチャートである。
【図１３】図１２の一部の流れを示すフローチャートである。
【図１４】アルバム登録済みマークＭＫ１が付された再生画像を示す図である。
【図１５】変形例に係る再生メニュー画面を示す図である。
【図１６】メモリカード９０内の撮影画像フォルダ内に格納されたファイル群の一例を示す図である。
【図１７】「アフターレコーディング」動作における状態遷移を示す図である。
【図１８】各種ファイルの再生時の画面を示す図である。
【図１９】アルバム作成処理を示すフローチャートである。
【図２０】アルバム作成処理を示すフローチャートである。
【図２１】アフレコファイルをアルバム登録した後のアルバム情報ファイルの内容を示す図である。
【図２２】ボイスレコーディングファイルをアルバム登録した後のアルバム情報ファイルの内容を示す図である。
【図２３】動画像ファイルのアルバム登録に関する設定を行うためのメニュー画面を示す図である。
【図２４】動画像ファイルの先頭フレームをアルバム登録した後のアルバム情報ファイルの内容を示す図である。
【図２５】動画像ファイル全体をアルバム登録した後のアルバム情報ファイルの内容を示す図である。
【図２６】撮影画像に対するプリント指定操作における状態遷移図である。
【図２７】アルバム画像に対するプリント指定操作における状態遷移図である。
【図２８】プリント指定済みマークＭＫ７を示す図である。
【図２９】メモリカード９０内の各ファイルに対するプリント指定状況を示す図である。
【図３０】インデックスプリントの出力形態設定操作における状態遷移図である。
【図３１】撮影画像についてのインデックスプリントとアルバム画像についてのインデックスプリントとが区別して出力されている状態を示す図である。
【図３２】撮影画像についてのインデックスプリントとアルバム画像についてのインデックスプリントとが区別されずに連続して出力されている状態を示す図である。
【図３３】図３１の出力形態を実現するためのプリント指定ファイルの内容を示す図である。
【図３４】図３２の出力形態を実現するためのプリント指定ファイルの内容を示す図である。
【図３５】変形例に係る出力形態を示す図である。
【図３６】図３５の出力形態を実現するためのプリント指定ファイルの内容を示す図である。
【符号の説明】
１  デジタルカメラ
２  撮影レンズ
３  電源ボタン
４  光学ファインダー
５  ＬＣＤ
６  フラッシュ
７ａ〜７ｄ  十字カーソルボタン（キー）
８ａ  実行ボタン
８ｂ  メニューボタン
８ｃ  フラッシュモードボタン
８ｄ  液晶モニターボタン
９  シャッタボタン
１１  ＱＶボタン
１２  マイク
１３  スピーカ
【図１】
2004254100.tif 000003
【図２】
2004254100.tif 000004
【図３】
2004254100.tif 000005
【図４】
2004254100.tif 000006
【図５】
2004254100.tif 000007
【図６】
2004254100.tif 000008
【図７】
2004254100.tif 000009
【図８】
2004254100.tif 000010
【図９】
2004254100.tif 000011
【図１０】
2004254100.tif 000012
【図１１】
2004254100.tif 000013
【図１２】
2004254100.tif 000014
【図１３】
2004254100.tif 000015
【図１４】
2004254100.tif 000016
【図１５】
2004254100.tif 000017
【図１６】
2004254100.tif 000018
【図１７】
2004254100.tif 000019
【図１８】
2004254100.tif 000020
【図１９】
2004254100.tif 000021
【図２０】
2004254100.tif 000022
【図２１】
2004254100.tif 000023
【図２２】
2004254100.tif 000024
【図２３】
2004254100.tif 000025
【図２４】
2004254100.tif 000026
【図２５】
2004254100.tif 000027
【図２６】
2004254100.tif 000028
【図２７】
2004254100.tif 000029
【図２８】
2004254100.tif 000030
【図２９】
2004254100.tif 000031
【図３０】
2004254100.tif 000032
【図３１】
2004254100.tif 000033
【図３２】
2004254100.tif 000034
【図３３】
2004254100.tif 000035
【図３４】
2004254100.tif 000036
【図３５】
2004254100.tif 000037
【図３６】
2004254100.tif 000038